(57)【要約】【課題】冊子の立体形状を事前に確認できる画像形成装置を提供する。【解決手段】画像形成装置１は、記憶部１２、処理部１１、及び表示部４１を備える。記憶部１２は、複数枚のシートを重ねて構成される冊子の３次元形状を示す３次元配列のデジタル立体冊子モデルを格納する。処理部１１は、デジタル立体冊子モデルに基づいて、冊子のプレビュー画像を生成する。表示部４１は、冊子のプレビュー画像を表示する。表示部４１は、２次元状の表示面を有する。冊子のプレビュー画像は、表示部４１の表示面に３次元的に表示される冊子の画像を示す。【選択図】図２
2018196087.tif 000002
【特許請求の範囲】
【請求項１】
シートにページ画像を形成する画像形成部と、
複数枚の前記シートを重ねて構成される冊子の３次元形状を示す３次元配列のデジタル立体冊子モデルを格納する記憶部と、
前記デジタル立体冊子モデルに基づいて、前記冊子のプレビュー画像を生成する処理部と、
前記冊子のプレビュー画像を表示する表示部と
を備え、
前記処理部は、
前記シートのサイズを示すサイズ情報に基づいて、前記シートの立体形状を示す３次元配列のデジタル立体シートモデルを生成し、
複数の前記デジタル立体シートモデルを積層させて、前記デジタル立体冊子モデルを生成し、
前記デジタル立体シートモデルは、前記シートの両面に対応する２つのページ記憶領域を有し、
前記処理部は、前記ページ画像の画像データを前記ページ記憶領域に格納し、
前記画像形成部は、前記デジタル立体冊子モデルに格納された前記ページ画像の画像データに基づいて、前記シートに前記ページ画像を形成し、
前記表示部は、２次元状の表示面を有し、
前記冊子のプレビュー画像は、前記表示面に３次元的に表示される前記冊子の画像を示す、画像形成装置。
【請求項２】
前記シートの厚みに対応する信号を出力する厚み検知センサーを更に備え、
前記サイズ情報は、前記シートの厚みを示す厚み情報を含み、
前記処理部は、前記厚み検知センサーの出力に基づいて前記厚み情報を取得する、請求項１に記載の画像形成装置。
【請求項３】
前記シートを所定の搬送経路に沿って前記画像形成部まで搬送する搬送装置を更に備え、
前記搬送装置は、前記搬送経路の途中の所定位置で前記シートの搬送を停止し、
前記厚み検知センサーは、前記所定位置に対応する位置に配置されて、停止している前記シートの厚みを検知する、請求項２に記載の画像形成装置。
【請求項４】
前記搬送経路は、直線状の経路を含み、
前記搬送装置は、前記直線状の経路で前記シートの搬送を停止する、請求項３に記載の画像形成装置。
【請求項５】
前記処理部は、前記冊子の表紙側又は裏表紙側から前記シートを１枚単位で分割する指示に基づき、前記冊子を２つに分割した状態を示すページ確認プレビュー画像を生成し、
前記ページ確認プレビュー画像は、前記ページ画像を示す、請求項１から請求項４のいずれか１項に記載の画像形成装置。
【請求項６】
前記ページ記憶領域は、前記シートの小口側の縁部に対応する縁部記憶領域を含み、
前記処理部は、前記冊子の小口に印刷する予定の冊子小口画像に応じて、前記縁部記憶領域に格納する縁部画像の画像データを生成し、
前記縁部記憶領域は、前記縁部画像の画像データを格納し、
前記冊子のプレビュー画像は、前記冊子小口画像を示す、請求項１から請求項４のいずれか１項に記載の画像形成装置。
【請求項７】
前記冊子小口画像は、小口見出しを示す小口見出し画像であり、
前記処理部は、
前記冊子に含まれる複数のページを章単位で複数のグループにグループ化するためのグループ数情報を取得し、
前記グループ数情報に基づいて、前記複数のグループの各々のページ範囲を示すページ範囲情報を取得し、
前記ページ範囲情報に基づいて、前記グループごとに、前記小口見出し画像に応じて前記縁部画像の画像データを生成する、請求項６に記載の画像形成装置。
【請求項８】
前記処理部は、前記冊子の表紙側又は裏表紙側から前記シートを１枚単位で分割する指示に基づき、前記冊子を２つに分割した状態を示すページ確認プレビュー画像を生成し、
前記ページ確認プレビュー画像は、前記縁部画像を示す、請求項６又は請求項７に記載の画像形成装置。
【請求項９】
前記処理部は、
前記冊子の小口における前記冊子小口画像の位置を設定する位置情報を取得し、
前記位置情報が示す位置に基づき、前記縁部画像の画像データを前記縁部記憶領域に格納する、請求項６から請求項８のいずれか１項に記載の画像形成装置。
【請求項１０】
前記処理部は、
追加ページの画像データを取得すると、前記追加ページの立体形状を示す３次元配列のデジタル立体ページモデルを生成して、前記デジタル立体ページモデルを前記デジタル立体冊子モデルに追加し、
前記デジタル立体冊子モデルに前記縁部画像の画像データが格納されている場合、前記追加ページの前ページ又は後ページの前記縁部記憶領域に格納されている画像データと同じ画像データを、前記デジタル立体ページモデルに格納する、請求項６から請求項９のいずれか１項に記載の画像形成装置。
【請求項１１】
前記処理部は、
前記デジタル立体冊子モデルに前記縁部画像の画像データが格納されている場合、前記冊子小口画像が文字画像を含むか否かを判定し、
前記冊子小口画像が前記文字画像を含むと判定した場合、前記冊子小口画像が前記文字画像を含むことを通知する警告画面を前記表示部に表示させる、請求項１０に記載の画像形成装置。
【請求項１２】
前記処理部は、前記縁部画像の画像データを生成する際に、前記冊子小口画像に関する情報である小口情報を前記記憶部に保存し、
前記小口情報は、前記冊子の小口における前記冊子小口画像の位置を示す、請求項６から請求項１１のいずれか１項に記載の画像形成装置。
【請求項１３】
割り込み印刷の指示を受け付ける操作部を更に備え、
前記処理部は、
前記冊子を構成する前記複数枚のシートに前記ページ画像を印刷している途中において前記割り込み印刷が実行された場合、前記割り込み印刷の直前に印刷が実行されていたページのページ番号を示す割り込み直前ページ番号を取得し、
前記割り込み印刷によって画像が印刷された割り込みシートを示すデジタル立体シートモデルである割り込みシートモデルを、前記デジタル立体冊子モデルに追加し、
前記割り込みシートモデルが追加された前記デジタル立体冊子モデルに基づいて、前記冊子のプレビュー画像を生成し、
前記割り込みシートモデルは、前記デジタル立体冊子モデルにおいて、前記割り込み直前ページ番号が示すページに隣接する位置に追加される、請求項１から請求項１２のいずれか１項に記載の画像形成装置。
【請求項１４】
前記冊子のプレビュー画像は、互いに部分的に重ねられつつ一定の方向にずらされた状態の前記複数枚のシートを示す、請求項１から請求項１３のいずれか１項に記載の画像形成装置。
【請求項１５】
複数枚のシートを重ねて構成される冊子の３次元形状を示す３次元配列のデジタル立体冊子モデルを格納する記憶部と、
前記デジタル立体冊子モデルに基づいて、前記冊子のプレビュー画像を生成する処理部と、
前記冊子のプレビュー画像を表示する表示部と
を備え、
前記表示部は、２次元状の表示面を有し、
前記冊子のプレビュー画像は、前記表示面に３次元的に表示される前記冊子の画像を示す、情報処理装置。
【発明の詳細な説明】
【技術分野】
【０００１】
本発明は、画像形成装置、及び情報処理装置に関する。
【背景技術】
【０００２】
特許文献１には、立体オブジェクト（例えば、厚みのある文字）を用紙に印刷する立体画像印刷装置における立体画像のプレビュー表示方法が記載されている。特許文献１に記載のプレビュー表示方法によれば、用紙に立体形状で印刷されるオブジェクト（立体オブジェクト）が、プレビュー画面において立体的に表示される。
【先行技術文献】
【特許文献】
【０００３】
【特許文献１】特開２００５−２２７８６３号公報
【発明の概要】
【発明が解決しようとする課題】
【０００４】
しかしながら、特許文献１に記載のプレビュー表示方法は、複数枚のシートを重ねて構成される冊子の立体形状を表示することができない。したがって、ユーザーは、冊子を構成する各シートに画像を印刷する前に、冊子の立体形状を把握することができない。
【０００５】
本発明は上記課題に鑑みてなされたものであり、その目的は、冊子の立体形状を事前に確認できる画像形成装置、及び情報処理装置を提供することにある。
【課題を解決するための手段】
【０００６】
本発明に係る画像形成装置は、画像形成部と、記憶部と、処理部と、表示部とを備える。前記画像形成部は、シートにページ画像を形成する。前記記憶部は、複数枚の前記シートを重ねて構成される冊子の３次元形状を示す３次元配列のデジタル立体冊子モデルを格納する。前記処理部は、前記デジタル立体冊子モデルに基づいて、前記冊子のプレビュー画像を生成する。前記表示部は、前記冊子のプレビュー画像を表示する。前記処理部は、前記シートのサイズを示すサイズ情報に基づいて、前記シートの立体形状を示す３次元配列のデジタル立体シートモデルを生成する。前記処理部は、複数の前記デジタル立体シートモデルを積層させて、前記デジタル立体冊子モデルを生成する。前記デジタル立体シートモデルは、前記シートの両面に対応する２つのページ記憶領域を有する。前記処理部は、前記ページ画像の画像データを前記ページ記憶領域に格納する。前記画像形成部は、前記デジタル立体冊子モデルに格納された前記ページ画像の画像データに基づいて、前記シートに前記ページ画像を形成する。前記表示部は、２次元状の表示面を有する。前記冊子のプレビュー画像は、前記表示面に３次元的に表示される前記冊子の画像を示す。
【０００７】
本発明に係る情報処理装置は、記憶部と、処理部と、表示部とを備える。前記記憶部は、複数枚のシートを重ねて構成される冊子の３次元形状を示す３次元配列のデジタル立体冊子モデルを格納する。前記処理部は、前記デジタル立体冊子モデルに基づいて、前記冊子のプレビュー画像を生成する。前記表示部は、前記冊子のプレビュー画像を表示する。前記表示部は、２次元状の表示面を有する。前記冊子のプレビュー画像は、前記表示面に３次元的に表示される前記冊子の画像を示す。
【発明の効果】
【０００８】
本発明によれば、冊子の立体形状を事前に確認することができる。
【図面の簡単な説明】
【０００９】
【図１】本発明の実施形態１に係る画像形成装置の外観を示す図である。
【図２】本発明の本実施形態１に係る画像形成装置のブロック図である。
【図３】本発明の実施形態１に係る冊子作成プロセスを示すフローチャートである。
【図４】本発明の実施形態１に係る厚み検知センサーを示す図である。
【図５】（ａ）は本発明の実施形態１に係るデジタル立体シートモデルを示す図であり、（ｂ）は本発明の実施形態１に係るデジタル立体冊子モデルを示す図である。
【図６】（ａ）及び（ｂ）は、本発明の実施形態１に係る第１プレビュー画面を示す図である。
【図７】（ａ）及び（ｂ）は、本発明の実施形態１に係る第１ページ確認画面を示す図である。
【図８】（ａ）及び（ｂ）は、本発明の実施形態１に係る第２ページ確認画面を示す図である。
【図９】本発明の実施形態２に係るデジタル立体シートモデルＳＤを示す図である。
【図１０】（ａ）〜（ｃ）は、本発明の実施形態２に係るデジタル立体シートモデルに縁部画像の画像データが格納された状態を示す図である。
【図１１】本発明の実施形態２に係るデジタル立体冊子モデルに縁部画像の画像データが格納された状態を示す図である。
【図１２】本発明の実施形態２に係る小口編集処理を示すフローチャートである。
【図１３】本発明の実施形態２に係る問い合わせ画面を示す図である。
【図１４】本発明の実施形態２に係るグループ数設定画面を示す図である。
【図１５】本発明の実施形態２に係るページ範囲設定画面を示す図である。
【図１６】本発明の実施形態２に係るページ範囲設定画面を示す図である。
【図１７】本発明の実施形態２に係る小口確認画面を示す図である。
【図１８】（ａ）は本発明の実施形態２に係る第１プレビュー画面を示す図であり、（ｂ）は本発明の実施形態２に係る第１ページ確認画面を示す図であり、（ｃ）は本発明の実施形態２に係る第２ページ確認画面を示す図である。
【図１９】本発明の実施形態２に係るページ範囲設定画面の他の例を示す図である。
【図２０】本発明の実施形態２に係る文字入力画面を示す図である。
【図２１】本発明の実施形態２に係るページ範囲設定画面の他の例を示す図である。
【図２２】本発明の実施形態３に係る小口編集処理を示すフローチャートである。
【図２３】本発明の実施形態３に係る編集対象選択画面を示す図である。
【図２４】（ａ）は本発明の実施形態３に係る位置情報設定画面を示す図であり、（ｂ）は本発明の実施形態３に係る小口確認画面を示す図である。
【図２５】（ａ）は本発明の実施形態３に係る第１プレビュー画面を示す図であり、（ｂ）は本発明の実施形態３に係る第１ページ確認画面を示す図であり、（ｃ）は本発明の実施形態３に係る第２ページ確認画面を示す図である。
【図２６】本発明の実施形態４に係るページ差し替え処理を示すフローチャートである。
【図２７】本発明の実施形態４に係るページ差し替え処理後のデジタル立体冊子モデルを示す図である。
【図２８】本発明の実施形態５に係るページ追加処理を示すフローチャートである。
【図２９】本発明の実施形態５に係るページ追加処理後のデジタル立体冊子モデルを示す図である。
【図３０】本発明の実施形態６に係るページ追加処理を示すフローチャートである。
【図３１】本発明の実施形態７に係る冊子のプレビュー画像を示す図である。
【図３２】（ａ）は本発明の実施形態８に係る小口見出し画像の小口情報を示す図であり、（ｂ）は本発明の実施形態８に係る小口文字画像の小口情報を示す図である。
【図３３】本発明の実施形態９に係る第１プレビュー画面を示す図である。
【図３４】本発明の他の実施形態に係る情報処理装置を示す図である。
【発明を実施するための形態】
【００１０】
以下、図面を参照して本発明の実施形態を説明する。ただし、本発明は以下の実施形態に限定されない。図中、同一又は相当部分については同一の参照符号を付して説明を繰り返さない。
【００１１】
［実施形態１］
図１は、本実施形態に係る画像形成装置１の外観を示す図である。本実施形態に係る画像形成装置１は、冊子を構成する各シートＳに画像を形成する。具体的には、画像形成装置１は、冊子画像データを取得する。冊子画像データは、冊子の各ページに印刷する予定の各ページ画像を示す。換言すると、冊子画像データは、各ページ画像の画像データを含む。画像形成装置１は、冊子画像データに基づいて、各シートＳにページ画像を形成（印刷）する。詳しくは、画像形成装置１は両面印刷機能を有し、各シートＳの両面に、対応するページ画像を形成する。
【００１２】
本実施形態において、画像形成装置１は複合機である。画像形成装置１は、複数の給紙装置２、操作パネル４（操作部の一例）、画像読取装置５、及び原稿搬送装置６を備える。
【００１３】
複数の給紙装置２はそれぞれシートＳを１枚ずつ給紙する。本実施形態において、複数の給紙装置２は、互いにシートサイズが異なる複数枚のシートＳを収容する。シートサイズは、シートＳの主走査方向のサイズ及び副走査方向のサイズを示す。具体的には、給紙装置２は、給紙カセットを備える。給紙カセットは、複数枚のシートＳを収容する。給紙装置２は、給紙カセットから１枚ずつシートＳを給紙する。画像形成装置１は、給紙装置２によって給紙されたシートＳに画像を形成する。画像が形成されたシートＳは、画像形成装置１の筐体が形成する排出空間３に排出される。
【００１４】
操作パネル４は、画像形成装置１に対するユーザーの指示を受け付ける（入力する）。本実施形態において、操作パネル４はタッチパネル４ａ及びハードキー４ｂを備え、タッチパネル４ａ及びハードキー４ｂが、画像形成装置１に対するユーザーの指示を受け付ける。具体的には、ユーザーは、操作パネル４（タッチパネル４ａ又はハードキー４ｂ）を操作して指示を入力することで、画像形成装置１の各種の設定を行うことができる。また、ユーザーは、操作パネル４（タッチパネル４ａ又はハードキー４ｂ）を操作して指示を入力することで、画像形成装置１の各種の機能を実行することができる。また、タッチパネル４ａは、各種の設定画面及び各種のプレビュー画面を表示する。
【００１５】
本実施形態において、ユーザーは、操作パネル４を操作して、シートＳのシートサイズを選択することができる。また、ユーザーは、操作パネル４を操作して、画像形成装置１に実行させる機能として「冊子の作成」を選択することができる。以下の説明において、画像形成装置１に実行させる機能として「冊子の作成」を選択することを、「冊子の作成が選択される」又は「冊子の作成を選択する」と記載する場合がある。
【００１６】
詳しくは、冊子の作成が選択されると、タッチパネル４ａがシートサイズ選択画面を表示する。シートサイズ選択画面は、シートサイズを選択するための画面である。典型的には、タッチパネル４ａは、各種の定型サイズ（例えば、「Ａ３」、「Ａ４」、「Ｂ４」、「Ｂ５」）のうちから１つのサイズを選択させる画面を表示する。換言すると、シートサイズ選択画面は、シートＳの主走査方向及び副走査方向のサイズを選択するための画面である。
【００１７】
更に、ユーザーは、シートサイズを選択した後に、操作パネル４を操作して、冊子の作成を実行する指示を入力することができる。タッチパネル４ａは、冊子の作成を実行する指示が入力されると、冊子のプレビュー画像を表示する。ユーザーは、冊子のプレビュー画像が表示された後に、操作パネル４を操作して、画像形成装置１に対し画像形成動作の実行を指示することができる。画像形成動作を実行する指示が入力されると、選択されたシートサイズに対応する給紙装置２からシートＳが１枚ずつ給紙される。画像形成装置１は、給紙された各シートＳに、対応するページ画像を形成する。この結果、冊子を構成する予定の各シートＳにページ画像が印刷される。なお、以下の説明において、冊子の作成を実行する指示を「冊子作成指示」と記載する場合がある。また、ページ画像を印刷する指示（画像形成動作を実行する指示）を「冊子印刷指示」と記載し、ページ画像を印刷する動作を「冊子の印刷」又は「冊子印刷」と記載する場合がある。
【００１８】
続いてハードキー４ｂについて説明する。ハードキー４ｂは、例えばスタートキー、ストップ／クリアキー、リセットキー、テンキー、及び矢印キーを含む。スタートキーは、画像形成装置１に各種の機能（処理）を実行させるためのボタンである。ストップ／クリアキーは、実行中の処理（ジョブ）を中止するためのボタンである。リセットキーは、各種の設定をデフォルト状態にリセットするためのボタンである。テンキーは、数値を入力するためのボタンである。矢印キーは、選択対象を変更するためのボタンである。
【００１９】
続いて画像読取装置５について説明する。画像読取装置５は、原稿の画像を読み取って、読取画像データを生成する。読取画像データは、画像読取装置５によって読み取られた原稿の画像を示す。
【００２０】
具体的には、画像読取装置５は、コンタクトガラスを備える。ユーザーは、原稿搬送装置６を上方に開くことで、コンタクトガラスの上面を開放して、コンタクトガラスに原稿をセットすることができる。また、コンタクトガラスに原稿がセットされた状態で、ユーザーが操作パネル４を操作して読み取り動作の実行を指示すると、画像読取装置５は、コンタクトガラスにセットされた原稿の画像を読み取る。
【００２１】
画像読取装置５を利用して冊子画像データを生成する場合、ユーザーは、複数枚の原稿をコンタクトガラスに順次セットして、画像読取装置５に各原稿の画像を読み取らせる。読み取り動作を実行する指示は、コンタクトガラスにセットする原稿を入れ替える度に入力される。全ての原稿の読み取りが終了した場合、ユーザーは操作パネル４を操作して、読み取りの終了を指示する。この結果、冊子画像データが生成される。
【００２２】
続いて原稿搬送装置６について説明する。原稿搬送装置６は、所定の読取領域を原稿が通過するように、原稿を搬送する。所定の読取領域は、画像読取装置５のコンタクトガラスに対向する。画像読取装置５は、原稿が所定の読取領域を通過する際に、原稿の画像を読み取る。
【００２３】
具体的には、原稿搬送装置６は、原稿載置トレイ６１を備える。原稿搬送装置６を利用して冊子画像データを生成する場合、ユーザーは、複数枚の原稿を重ねた原稿束を原稿載置トレイ６１にセットする。原稿載置トレイ６１に原稿束がセットされた状態で、ユーザーが操作パネル４を操作して冊子作成指示を入力すると、原稿搬送装置６は、原稿束から１枚ずつ原稿を搬送する。この結果、冊子画像データが生成される。
【００２４】
図２は、本実施形態に係る画像形成装置１のブロック図である。図２に示すように、画像形成装置１は、給紙装置２、操作パネル４、画像読取装置５、及び原稿搬送装置６に加えて、画像形成部７、シート搬送装置８、厚み検知センサー９、通信部１０、処理部１１、及び記憶部１２を更に備える。
【００２５】
タッチパネル４ａは、表示部４１及びタッチセンサー４２を備える。表示部４１は、２次元状の表示面を有する。表示部４１は、各種の設定画面を表示面に表示する。また、表示部４１は、冊子のプレビュー画像を表示面に表示する。表示部４１は、例えば液晶ディスプレー又は有機ＥＬ（ｅｌｅｃｔｒｏｌｕｍｉｎｅｓｃｅｎｃｅ）ディスプレーのようなディスプレーを含む。タッチセンサー４２は、表示部４１の表示面に重畳するように配置されて、ユーザーの表示面に対するジェスチャー（典型的には、指ジェスチャー）に対応する信号を生成する。ジェスチャーは、タップ、フリック、スワイプ等を含む。詳しくは、タッチセンサー４２は、ユーザーによるタッチを検知し、タッチ位置（タッチされた位置）を示す信号を生成する。ユーザーは、ジェスチャーにより、画像形成装置１に対する各種の指示を入力することができる。
【００２６】
画像形成部７は、ユーザーが操作パネル４を操作して画像形成動作を実行する指示を入力すると、シートＳに画像を形成する。本実施形態において、画像形成部７は、冊子画像データに基づいて各シートＳにページ画像を印刷する。
【００２７】
画像形成部７は、例えば電子写真方式又はインクジェット方式に対応する機構を有する。電子写真方式は、トナーを用いて画像を形成（印刷）する方式である。インクジェット方式は、インク滴を用いて画像を形成（印刷）する方式である。
【００２８】
トナーを用いて画像を形成する場合、画像形成部７は、典型的には、感光体ドラムと、帯電装置と、露光装置と、現像装置と、転写装置と、定着装置とを有する。帯電装置は、感光体ドラムの周面を一様に帯電させる。露光装置は、画像データに基づいてレーザー光を出射して、感光体ドラムの周面に静電潜像を形成する。現像装置は、トナーを供給して静電潜像を現像する。この結果、感光体ドラムの周面にトナー像が形成される。転写装置は、シートＳにトナー像を転写する。定着装置は、シートＳを加圧及び加熱して、トナー像をシートＳに定着させる。インク滴を用いて画像を形成する場合、画像形成部７は、典型的には、記録ヘッドを有する。記録ヘッドは、インク滴を吐出して、シートＳに画像を形成する。
【００２９】
シート搬送装置８は、給紙装置２によって給紙されたシートＳを所定の搬送経路に沿って搬送する。シート搬送装置８は、典型的には、所定の搬送経路に沿って配置される複数の搬送ローラー対を備える。複数の搬送ローラー対が回転することにより、シートＳが搬送される。
【００３０】
本実施形態において、所定の搬送経路は、主搬送経路と副搬送経路とを含む。主搬送経路は、給紙装置２から、画像形成部７を経由して、図１を参照して説明した排出空間３に至る経路である。副搬送経路は、主搬送経路の下流側から分岐して、主搬送経路の上流側に合流する経路である。詳しくは、副搬送経路は、画像形成部７よりも下流側において主搬送経路から分岐し、画像形成部７よりも上流側において主搬送経路に合流する。
【００３１】
シート搬送装置８は、冊子印刷指示が入力されると、各シートＳの両面にページ画像が形成されるように、各シートＳを搬送する。具体的には、シート搬送装置８は、給紙装置２によって給紙されたシートＳを画像形成部７へ搬送する。シート搬送装置８は、シートＳの表面にページ画像が形成されると、シートＳをスイッチバックして副搬送経路に搬入する。この結果、シートＳは、副搬送経路に沿って搬送されて、再度、主搬送経路に搬入される。シート搬送装置８は、副搬送経路から搬入されたシートＳを画像形成部７へ搬送する。この結果、シートＳの裏面にページ画像が形成される。シート搬送装置８は、シートＳの両面にページ画像が形成されると、シートＳを排出空間３まで搬送する。
【００３２】
厚み検知センサー９は、給紙装置２によって給紙されたシートＳの厚みを検知する。詳しくは、ユーザーが操作パネル４を操作して冊子作成指示を入力すると、給紙装置２によってシートＳが１枚給紙される。シートＳは、シート搬送装置８によって、画像形成部７よりも上流側の所定の位置（以下、「待機位置」と記載する場合がある。）まで搬送される。厚み検知センサー９は、待機位置に対応する位置に配置されており、待機位置で停止しているシートＳの厚みを検知する。具体的には、厚み検知センサー９は、シートＳの厚みに対応する信号を出力する。なお、冊子印刷指示が入力されると、給紙装置２及びシート搬送装置８は動作を再開する。この結果、給紙装置２によってシートＳが１枚ずつ順次給紙される。また、シート搬送装置８によってシートＳが１枚ずつ順次搬送される。
【００３３】
通信部１０は、外部機器とデータ通信可能に接続して、外部機器から画像データを取得する。通信部１０は、例えばＬＡＮ（Ｌｏｃａｌ  Ａｒｅａ  Ｎｅｔｗｏｒｋ）ボードなどのネットワークインターフェイスである。外部機器は、例えばパーソナルコンピューターのような汎用コンピューターである。なお、通信部１０は、外部機器との間で無線通信を実行する構成であってもよい。無線通信方式は、例えばＢｌｕｅｔｏｏｔｈ（登録商標）のような近距離無線通信方式であり得る。
【００３４】
本実施形態において、通信部１０は、外部機器から、冊子画像データとページ数情報とを受信する。ページ数情報は、ページ画像の数を示す。処理部１１は、冊子画像データとページ数情報とを関連付けて記憶部１２に格納する。
【００３５】
処理部１１は、記憶部１２に記憶された制御プログラム（コンピュータープログラム）を実行することによって、画像形成装置１の各部の動作を制御する。処理部１１は、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）のような演算回路を有する。また、処理部１１は、画像処理用の集積回路を有し得る。画像処理用の集積回路は、典型的には、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００３６】
本実施形態において、処理部１１は、操作パネル４から指示が入力されると、記憶部１２に記憶された制御プログラムに従い、操作パネル４から入力された指示に応じた処理を実行する。例えば、図１を参照して説明したコンタクトガラスに原稿がセットされた状態で、読み取り動作を実行する指示が入力された場合、処理部１１は、コンタクトガラスにセットされた原稿を読み取るように画像読取装置５を制御する。この結果、読取画像データが記憶部１２に格納される。画像読取装置５を利用して冊子画像データを生成する場合、処理部１１は、各原稿の読取画像データを関連付けて記憶部１２に格納する。この結果、冊子画像データが記憶部１２に格納される。換言すると、冊子画像データが生成される。また、処理部１１は、読み取りの終了が指示されるまで、画像読取装置５が原稿を読み取る度にページ数をカウントアップする。読み取りの終了が指示されると、処理部１１は、冊子画像データに関連付けて、カウントしたページ数を示すページ数情報を記憶部１２に格納する。
【００３７】
記憶部１２は、制御プログラムに加えて、画面に関するデータを記憶する。画面に関するデータは、例えば、各種のレイアウト画像データを含む。また、記憶部１２は、ユーザーが操作パネル４を操作して入力した各種の設定値を記憶する。記憶部１２は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等によって構成される。なお、処理部１１は、画面に関するデータに基づいて、表示部４１に各種の画面を表示させる。また、処理部１１は、記憶部１２に格納された画像データを画像処理して、画像形成用（印刷用）の画像データに変換する。処理部１１は、画像形成用の画像データに基づいて、シートＳに画像が形成されるように画像形成装置１の各部の動作を制御する。
【００３８】
本実施形態において、記憶部１２は、３次元配列のデジタル立体冊子モデルＢＤを格納する。３次元配列のデジタル立体冊子モデルＢＤは、複数枚のシートＳを重ねて構成される冊子の３次元形状を示す。処理部１１は、デジタル立体冊子モデルＢＤに基づいて冊子のプレビュー画像を生成し、表示部４１の表示面に表示させる。なお、以下の説明において、デジタル立体冊子モデルＢＤを「冊子モデルＢＤ」と記載する場合がある。
【００３９】
続いて図１〜図３を参照して、本実施形態に係る冊子作成プロセス（冊子画像形成プロセス）について説明する。図３は、本実施形態に係る冊子作成プロセスを示すフローチャートである。詳しくは、図３は、原稿載置トレイ６１に原稿がセットされていない状態において、ユーザーが操作パネル４を操作して冊子の作成を選択した場合に処理部１１が実行する処理を示す。
【００４０】
図３に示すように、原稿載置トレイ６１に原稿がセットされていない状態で冊子の作成が選択された場合、処理部１１は、図１を参照して説明したシートサイズ選択画面と共に、画像選択画面をタッチパネル４ａ（表示部４１）に表示させる（ステップＳ３１）。画像選択画面は、印刷対象（画像形成対象）の画像を選択するための画面であり、ユーザーは、操作パネル４を操作することで、記憶部１２に格納されている冊子画像（冊子画像データ）のうちから任意の冊子画像を選択することができる。
【００４１】
ユーザーが、印刷対象の冊子画像、及びシートサイズを選択した後、操作パネル４を操作して冊子作成指示を入力すると、処理部１１は、選択されたシートサイズを有する１枚のシートＳが待機位置まで搬送されるように、給紙装置２及びシート搬送装置８を制御する（ステップＳ３２）。具体的には、処理部１１は、選択されたシートサイズに対応する給紙装置２に１枚のシートＳを給紙させ、シート搬送装置８に１枚のシートＳを搬送させる。
【００４２】
１枚のシートＳが待機位置まで搬送されると、処理部１１は、厚み検知センサー９にシートＳの厚みを検知させる（ステップＳ３３）。この結果、シートＳの厚みに対応する信号が生成される。シートＳの厚みに対応する信号は、処理部１１に入力される。
【００４３】
シートＳの厚みが検知されると、処理部１１は、ページ数情報、及びサイズ情報に基づいて、冊子モデルＢＤを３次元配列で記憶部１２に格納する（ステップＳ３４）。この結果、３次元配列の冊子モデルＢＤが生成される。
【００４４】
具体的には、処理部１１は、画像選択画面を介して選択された冊子画像データに関連付けられたページ数情報を記憶部１２から取得する。サイズ情報は、シートＳの主走査方向のサイズ、シートＳの副走査方向のサイズ、及びシートＳの厚みを示す。記憶部１２は、定型サイズごとに、シートサイズを示す情報（シートＳの主走査方向及び副走査方向のサイズを示す情報）を記憶している。処理部１１は、シートサイズ選択画面を介して選択された定型サイズに基づき、記憶部１２からシートサイズを示す情報を取得する。また、処理部１１は、厚み検知センサー９の出力に基づいて、シートＳの厚みを示す厚み情報を取得する。
【００４５】
本実施形態において、処理部１１は、サイズ情報に基づいて、デジタル立体シートモデルＳＤを３次元配列で記憶部１２に格納する。換言すると、３次元配列のデジタル立体シートモデルＳＤを生成する。デジタル立体シートモデルＳＤは、シートＳの立体形状を示す。以下、デジタル立体シートモデルＳＤを「シートモデルＳＤ」と記載する場合がある。処理部１１は、シートモデルＳＤを生成すると、ページ数情報に基づいて複数のシートモデルＳＤを積層させることにより、冊子モデルＢＤを生成する。
【００４６】
処理部１１は、冊子モデルＢＤを記憶部１２に格納すると、画像選択画面を介して選択された冊子画像データを冊子モデルＢＤに付加（格納）する（ステップＳ３５）。
【００４７】
処理部１１は、冊子モデルＢＤに冊子画像データを付加すると、冊子モデルＢＤに基づいて、冊子のプレビュー画像を生成する。処理部１１は、冊子のプレビュー画像を生成すると、タッチパネル４ａ（表示部４１）に冊子のプレビュー画像を表示させる（ステップＳ３６）。冊子のプレビュー画像は、タッチパネル４ａ（表示部４１）の表示面に３次元的に表示される冊子の画像を示す。換言すると、冊子の画像は、冊子の隣り合う少なくとも２つの面を示す。したがって、ユーザーは、冊子の立体形状を確認することができる。
【００４８】
冊子のプレビュー画像の表示後に、ユーザーが操作パネル４を操作して冊子印刷指示を入力すると、処理部１１は、冊子モデルＢＤに格納された冊子画像データに基づいて、各シートＳにページ画像が形成されるように画像形成装置１の各部の動作を制御する（ステップＳ３７）。詳しくは、処理部１１は、冊子モデルＢＤに格納された各ページ画像の画像データを画像形成用の画像データに変換し、画像形成用の画像データに基づいて、各シートＳにページ画像が形成されるように画像形成装置１の各部の動作を制御する。この結果、冊子を構成する予定の各シートＳの両面に、対応するページ画像が形成される。具体的には、冊子の裏表紙（冊子の最後尾のページ）から順にページ画像が形成される。したがって、冊子印刷（画像形成動作）の終了時には、排出空間３に積載されたシートＳの束の最上層に、冊子の表紙（冊子の最初のページ）が位置する。処理部１１は、冊子印刷が終了すると、図３に示す処理を終了する。
【００４９】
続いて、原稿載置トレイ６１に原稿束がセットされた状態において、ユーザーが操作パネル４を操作して冊子の作成を選択した場合に処理部１１が実行する処理について説明する。
【００５０】
原稿載置トレイ６１に原稿束がセットされた状態で冊子の作成が選択された場合、処理部１１は、シートサイズ選択画面を表示部４１に表示させる。
【００５１】
ユーザーが、シートサイズを選択した後、操作パネル４を操作して冊子作成指示を入力すると、処理部１１は、原稿搬送装置６が搬送する各原稿の画像を画像読取装置５が読み取るように、原稿搬送装置６及び画像読取装置５を制御する。この結果、各原稿の読取画像データが生成される。処理部１１は、各原稿の読取画像データを関連付けて記憶部１２に格納することにより、冊子画像データを生成する。また、処理部１１は、原稿搬送装置６による原稿の搬送が終了するまで、画像読取装置５が原稿を読み取る度にページ数をカウントアップする。原稿搬送装置６による原稿の搬送が終了すると、処理部１１は、冊子画像データに関連付けて、カウントしたページ数を示すページ数情報を記憶部１２に格納する。
【００５２】
一方、処理部１１は、冊子作成指示が入力されると、各原稿の画像を読み取る処理を実行している間に、シートＳの厚み情報を取得する処理を実行する（図３のステップＳ３２及びステップＳ３３）。
【００５３】
処理部１１は、原稿搬送装置６による原稿の搬送が終了すると、冊子モデルＢＤを記憶部１２に格納する（図３のステップＳ３４）。これ以降の処理は、図３のステップＳ３５〜Ｓ３７と同様であるため、説明を割愛する。
【００５４】
続いて図４を参照して、本実施形態に係る厚み検知センサー９について説明する。図４は、本実施形態に係る厚み検知センサー９を示す図である。本実施形態に係る厚み検知センサー９は、測域センサー（レーザースキャナ）である。
【００５５】
図４に示すように、厚み検知センサー９は、シートＳの側面に対してレーザー光Ｌを走査する。具体的には、厚み検知センサー９は、シートＳの厚み方向にレーザー光Ｌを走査する。この結果、シートＳの厚みを示す信号が出力される。図４は、レーザー光Ｌの走査範囲を示している。
【００５６】
なお、シートＳの厚みを検知する際に、シートＳは平坦な姿勢であることが好ましい。シートＳが平坦な姿勢であることにより、より高い精度でシートＳの厚みを検知することができる。したがって、シートＳが搬送される搬送経路は、図２を参照して説明した画像形成部７よりも上流側に直線状の経路を含むことが好ましい。詳しくは、直線状の経路でシートＳを停止させて、シートＳの厚みを検知することが好ましい。
【００５７】
続いて図２、図５（ａ）及び図５（ｂ）を参照して、デジタル立体シートモデルＳＤ及びデジタル立体冊子モデルＢＤについて説明する。図５（ａ）はデジタル立体シートモデルＳＤを示す図であり、図５（ｂ）はデジタル立体冊子モデルＢＤを示す図である。
【００５８】
図５（ａ）に示すように、シートモデルＳＤは、３次元配列で記憶部１２に格納される。シートモデルＳＤは、シートＳの厚みに応じて、２行以上で作成される。具体的には、シートＳが厚いほど行数が増える。図５（ａ）に示すシートモデルＳＤは、２行で作成されている。
【００５９】
シートモデルＳＤは、シートＳの両面に対応する２つのページ記憶領域ＰＡを有する。具体的には、シートモデルＳＤは、第１ページ記憶領域ＰＡ１及び第２ページ記憶領域ＰＡ２を有する。第１ページ記憶領域ＰＡ１はシートＳの表面に対応し、第２ページ記憶領域ＰＡ２はシートＳの裏面に対応する。第１ページ記憶領域ＰＡ１は、シートＳの表面に形成する予定のページ画像の画像データを格納する。第２ページ記憶領域ＰＡ２は、シートＳの裏面に形成する予定のページ画像の画像データを格納する。
【００６０】
図５（ｂ）に示すように、冊子モデルＢＤは、複数のシートモデルＳＤを重ね合わせて（積層させて）作成される。換言すると、冊子の各ページに対応する各ページ記憶領域ＰＡが積層される。処理部１１は、各ページ画像の画像データを、対応するページ記憶領域ＰＡに格納することにより、冊子モデルＢＤに冊子画像データを付加する。
【００６１】
続いて図２、及び図６（ａ）〜図８（ｂ）を参照して、本実施形態に係る第１プレビュー画面１１０及び第２プレビュー画面１２０について説明する。処理部１１は、冊子モデルＢＤに冊子画像データを付加すると、第１プレビュー画面１１０をタッチパネル４ａに表示させる。また、処理部１１は、第１プレビュー画面１１０を表示させた後、ユーザーによる操作パネル４の操作に応じて、第２プレビュー画面１２０をタッチパネル４ａに表示させる。
【００６２】
まず図２、図６（ａ）及び図６（ｂ）を参照して、第１プレビュー画面１１０について説明する。図６（ａ）及び図６（ｂ）は、本実施形態に係る第１プレビュー画面１１０を示す図である。
【００６３】
図６（ａ）に示すように、タッチパネル４ａ（表示部４１）は、第１プレビュー画面１１０を表示する。第１プレビュー画面１１０は、冊子のプレビュー画像１０１を含む。冊子のプレビュー画像１０１は、冊子１０２（冊子の画像）を示す。
【００６４】
冊子１０２は、タッチパネル４ａの表示面（表示部４１の表示面）に３次元的に表示される。換言すると、冊子のプレビュー画像１０１は、冊子の隣り合う少なくとも２つの面を示す。したがって、ユーザーは、冊子の立体形状を確認することができる。更に、ユーザーは、冊子の表紙（冊子の最初のページ）に形成されるページ画像を確認することができる。図６（ａ）及び図６（ｂ）では、冊子の表紙に形成されるページ画像として、文字画像「表紙」を例示している。なお、他の図面においても同様に、冊子の表紙に形成されるページ画像として、文字画像「表紙」を例示する。
【００６５】
また、図６（ａ）及び図６（ｂ）に示すように、冊子１０２は、タッチパネル４ａ（タッチセンサー４２）に対するジェスチャーに応じて回転する。典型的には、スワイプにより、冊子１０２を回転させることができる。具体的には、冊子１０２の中心が、回転の中心点に設定される。あるいは、タップにより、回転の中心点が設定されてもよい。
【００６６】
冊子１０２が回転することにより、ユーザーは、冊子の立体形状をより正確に確認することができる。また、冊子１０２を回転させて、冊子１０２の裏表紙を表示することができる。この結果、ユーザーは、冊子の裏表紙（冊子の最後尾のページ）に形成されるページ画像を確認することができる。
【００６７】
また、図６（ａ）及び図６（ｂ）に示すように、第１プレビュー画面１１０は、第２プレビュー画面表示ボタン２０１を含む。第２プレビュー画面表示ボタン２０１は、第２プレビュー画面１２０を表示させるボタンである。タッチパネル４ａにボタン又はキーが表示されている場合、ユーザーは、操作パネル４を操作して、ボタン又はキーを押下する指示を入力することができる。ユーザーが操作パネル４を操作して、第２プレビュー画面表示ボタン２０１を押下する指示を入力すると、第２プレビュー画面１２０がタッチパネル４ａに表示される。
【００６８】
続いて図２、図７（ａ）〜図８（ｂ）を参照して、第２プレビュー画面１２０について説明する。第２プレビュー画面１２０は、各ページ画像を表示する。詳しくは、第２プレビュー画面１２０は、第１ページ確認画面１２１と、第２ページ確認画面１２２とを含む。図７（ａ）及び図７（ｂ）は、第１ページ確認画面１２１を示す図である。図８（ａ）及び図８（ｂ）は、第２ページ確認画面１２２を示す図である。
【００６９】
まず図２、図７（ａ）及び図７（ｂ）を参照して、第１ページ確認画面１２１について説明する。第１ページ確認画面１２１は、冊子を構成する各シートＳの表面に形成されるページ画像をユーザーに視認させる画面である。第１ページ確認画面１２１は、冊子１０２の表紙側からシート１０２ａ（シートＳの画像）を１枚単位で分割する第１分割指示を受け付ける。第１分割指示が入力されると、図７（ｂ）に示すように、第１ページ確認画面１２１は、冊子１０２が２つに分割された状態を示す冊子のプレビュー画像１０１を表示する。
【００７０】
詳しくは、第１ページ確認画面１２１における冊子のプレビュー画像１０１（ページ確認プレビュー画像）は、冊子１０２が２つに分割された状態を冊子１０２の表紙側から示す。なお、最初に表示される第１ページ確認画面１２１は、図７（ａ）に示すように、分割される前の冊子１０２を表紙側から示す。
【００７１】
図７（ｂ）に示すように、第１ページ確認画面１２１は、第１表示領域Ａ１及び第２表示領域Ａ２を含む。第２表示領域Ａ２は、第１表示領域Ａ１から離れている。第１表示領域Ａ１は、２つに分割した冊子１０２の一方を示す第１分割冊子１０４を表示する。第２表示領域Ａ２は、２つに分割した冊子１０２の他方を示す第２分割冊子１０５を表示する。第１分割冊子１０４は、各シートＳの表面に形成されるページ画像（奇数ページの画像）を示す。
【００７２】
詳しくは、第１分割指示が入力されると、第１分割冊子１０４の最上層のシート１０２ａが、第２表示領域Ａ２に移動する。つまり、第１分割指示が入力される度に、第１表示領域Ａ１から第２表示領域Ａ２へシート１０２ａが１枚ずつ移動する。なお、第２分割冊子１０５が表示されている場合、第１分割冊子１０４から分割されたシート１０２ａは、第２分割冊子１０５の最下層に移動する。
【００７３】
本実施形態に係る第１ページ確認画面１２１によれば、冊子を構成する各シートＳの表面に形成する予定のページ画像をユーザーに視認させることができる。図７（ａ）及び図７（ｂ）では、最初のページとは異なるページに形成する予定のページ画像として、文字画像「表面」を例示している。なお、他の図面においても同様に、最初のページとは異なる奇数ページに形成する予定のページ画像として、文字画像「表面」を例示する。
【００７４】
第１ページ確認画面１２１は、第２プレビュー画面隠しボタン２０２を含む。第２プレビュー画面隠しボタン２０２は、図６（ａ）及び図６（ｂ）を参照して説明した第１プレビュー画面１１０を表示させるボタンである。
【００７５】
また、第１ページ確認画面１２１は、ラジオボタン１３１、「次ページへ」ボタン１３２、「戻る」ボタン１３３、及び「キャンセル」ボタン１３４を含む。
【００７６】
ラジオボタン１３１は、第１ページ確認画面１２１と第２ページ確認画面１２２とのうちの一方を選択するためのボタンである。本実施形態において、ラジオボタン１３１は、「表紙から」ボタンと、「裏表紙から」ボタンとを含む。「表紙から」ボタンは第１ページ確認画面１２１を選択するためのボタンであり、「裏表紙から」ボタンは第２ページ確認画面１２２を選択するためのボタンである。図７（ａ）及び図７（ｂ）は、「表紙から」ボタンが選択されている状態を示す。例えば、ユーザーが操作パネル４を操作して、「裏表紙から」ボタンを押下する指示を入力すると、「裏表紙から」ボタンが選択される。また、「裏表紙から」ボタンが選択されている状態で、図１を参照して説明したハードキー４ｂに含まれるスタートキーをユーザーが押下すると、第２ページ確認画面１２２がタッチパネル４ａに表示される。
【００７７】
「次ページへ」ボタン１３２は、第１分割指示を入力するためのボタンである。ユーザーが操作パネル４を操作して、「次ページへ」ボタン１３２を押下する指示を入力すると、第１表示領域Ａ１から第２表示領域Ａ２へ１枚のシート１０２ａが移動する。
【００７８】
「戻る」ボタン１３３は、第２表示領域Ａ２から第１表示領域Ａ１へ１枚のシート１０２ａを移動させる（戻す）ボタンである。例えば、第１分割冊子１０４及び第２分割冊子１０５が表示されている場合、ユーザーが操作パネル４を操作して、「戻る」ボタン１３３を押下する指示を入力すると、第２分割冊子１０５の最下層のシート１０２ａが、第１分割冊子１０４の最上層に移動する。
【００７９】
「キャンセル」ボタン１３４は、第２プレビュー画面隠しボタン２０２と同様に、第１プレビュー画面１１０を表示させるボタンである。
【００８０】
なお、タッチパネル４ａに対するジェスチャーによって、第１表示領域Ａ１から第２表示領域Ａ２へ１枚のシート１０２ａが移動してもよい。同様に、タッチパネル４ａに対するジェスチャーによって、第２表示領域Ａ２から第１表示領域Ａ１へ１枚のシート１０２ａが移動してもよい。ジェスチャーは、典型的には、フリック又はスワイプである。
【００８１】
続いて図２、図８（ａ）及び図８（ｂ）を参照して、第２ページ確認画面１２２について説明する。第２ページ確認画面１２２は、冊子を構成する各シートＳの裏面に形成されるページ画像をユーザーに視認させる画面である。第２ページ確認画面１２２は、冊子１０２の裏表紙側からシート１０２ａを１枚単位で分割する第２分割指示を受け付ける。第２分割指示が入力されると、図８（ｂ）に示すように、第２ページ確認画面１２２は、冊子１０２が２つに分割された状態を示す冊子のプレビュー画像１０１を表示する。
【００８２】
詳しくは、第２ページ確認画面１２２における冊子のプレビュー画像１０１（ページ確認プレビュー画像）は、冊子１０２が２つに分割された状態を冊子１０２の裏表紙側から示す。なお、最初に表示される第２ページ確認画面１２２は、図８（ａ）に示すように、分割される前の冊子１０２を裏表紙側から示す。
【００８３】
図８（ｂ）に示すように、第２ページ確認画面１２２は、第３表示領域Ａ３及び第４表示領域Ａ４を含む。第４表示領域Ａ４は、第３表示領域Ａ３から離れている。第３表示領域Ａ３は、２つに分割した冊子１０２の一方を示す第３分割冊子１０６を表示する。第４表示領域Ａ４は、２つに分割した冊子１０２の他方を示す第４分割冊子１０７を表示する。第４分割冊子１０７は、各シートＳの裏面に形成されるページ画像（偶数ページの画像）を示す。
【００８４】
詳しくは、第２分割指示が入力されると、第３分割冊子１０６の最下層のシート１０２ａが、第４表示領域Ａ４に移動する。つまり、第２分割指示が入力される度に、第３表示領域Ａ３から第４表示領域Ａ４へシート１０２ａが１枚ずつ移動する。なお、第４分割冊子１０７が表示されている場合、第３分割冊子１０６から分割されたシート１０２ａは、第４分割冊子１０７の最上層に移動する。
【００８５】
本実施形態に係る第２ページ確認画面１２２によれば、冊子を構成する各シートＳの裏面に形成する予定のページ画像をユーザーに視認させることができる。図８（ａ）及び図８（ｂ）では、冊子の裏表紙（冊子の最後尾のページ）に形成する予定のページ画像として、文字画像「裏表紙」を例示している。また、最後尾のページとは異なるページに形成する予定のページ画像として、文字画像「裏面」を例示している。なお、他の図面においても同様に、冊子の裏表紙に形成する予定のページ画像として文字画像「裏表紙」を例示し、最後尾のページとは異なる偶数ページに形成する予定のページ画像として文字画像「裏面」を例示する。
【００８６】
第２ページ確認画面１２２は、第１ページ確認画面１２１と同様に、第２プレビュー画面隠しボタン２０２、ラジオボタン１３１、「次ページへ」ボタン１３２、「戻る」ボタン１３３、及び「キャンセル」ボタン１３４を含む。
【００８７】
第２ページ確認画面１２２において、「次ページへ」ボタン１３２は、第２分割指示を入力するためのボタンである。ユーザーが操作パネル４を操作して、「次ページへ」ボタン１３２を押下する指示を入力すると、第３表示領域Ａ３から第４表示領域Ａ４へ１枚のシート１０２ａが移動する。
【００８８】
第２ページ確認画面１２２において、「戻る」ボタン１３３は、第４表示領域Ａ４から第３表示領域Ａ３へ１枚のシート１０２ａを移動させる（戻す）ボタンである。例えば、第３分割冊子１０６及び第４分割冊子１０７が表示されている場合、ユーザーが操作パネル４を操作して、「戻る」ボタン１３３を押下する指示を入力すると、第４分割冊子１０７の最上層のシート１０２ａが、第３分割冊子１０６の最下層に移動する。
【００８９】
なお、タッチパネル４ａに対するジェスチャーによって、第３表示領域Ａ３から第４表示領域Ａ４へ１枚のシート１０２ａが移動してもよい。同様に、タッチパネル４ａに対するジェスチャーによって、第４表示領域Ａ４から第３表示領域Ａ３へ１枚のシート１０２ａが移動してもよい。ジェスチャーは、典型的には、フリック又はスワイプである。
【００９０】
以上、実施形態１について説明した。本実施形態によれば、冊子の立体形状を冊子の印刷前に事前に確認することができる。また、ページ画像を冊子の印刷前に事前に確認することができる。
【００９１】
［実施形態２］
続いて図１、図２、及び図９〜図２１を参照して本発明の実施形態２について説明する。但し、実施形態１と異なる事項を説明し、実施形態１と同じ事項についての説明は割愛する。実施形態２は、冊子作成プロセス（冊子画像形成プロセス）が実施形態１と異なる。詳しくは、実施形態２に係る冊子作成プロセスは、小口編集処理を含む。小口編集処理は、冊子の小口に形成する冊子小口画像を編集する処理である。
【００９２】
まず図９を参照して、本実施形態に係るデジタル立体シートモデルＳＤについて説明する。図９は、本実施形態に係るデジタル立体シートモデルＳＤを示す図である。なお、図９に示すシートモデルＳＤは、３行で作成されている。
【００９３】
図９に示すように、シートモデルＳＤの各ページ記憶領域ＰＡは、シートＳの小口側の縁部に対応する縁部記憶領域ＥＡを含む。縁部記憶領域ＥＡは、１列以上で構成される。図９に示す縁部記憶領域ＥＡは、３列で構成されている。各縁部記憶領域ＥＡは、シートＳの小口側の側面に対応する領域の一部を含む。
【００９４】
以下、シートＳの小口側の側面に対応する領域のうち、縁部記憶領域ＥＡに含まれる領域を「側面領域ＳＡ」と記載し、縁部記憶領域ＥＡのうち、側面領域ＳＡを除いた領域を「遠端領域ＦＡ」と記載する場合がある。また、第１ページ記憶領域ＰＡ１に含まれる縁部記憶領域ＥＡを「第１縁部記憶領域ＥＡ１」と記載し、第２ページ記憶領域ＰＡ２に含まれる縁部記憶領域ＥＡを「第２縁部記憶領域ＥＡ２」と記載する場合がある。なお、縁部記憶領域ＥＡが１列で構成される場合、縁部記憶領域ＥＡは、側面領域ＳＡのみによって構成される。
【００９５】
本実施形態に係る処理部１１（図２参照）は、ページ単位で、縁部記憶領域ＥＡに格納する画像データを生成する。以下、縁部記憶領域ＥＡに格納される画像データを「縁部画像Ｇの画像データ」と記載し、縁部画像Ｇの画像データが示す画像を「縁部画像Ｇ」と記載する。
【００９６】
続いて図２、及び図１０（ａ）〜図１０（ｃ）を参照して、縁部画像Ｇの画像データについて説明する。図１０（ａ）〜図１０（ｃ）は、デジタル立体シートモデルＳＤに縁部画像Ｇの画像データが格納された状態を示す図である。詳しくは、図１０（ａ）はシートモデルＳＤを表面側から示し、図１０（ｂ）はシートモデルＳＤを小口側から示し、図１０（ｃ）はシートモデルＳＤを裏面側から示す。なお、図１０（ａ）〜図１０（ｃ）に示すシートモデルＳＤは、２行で作成されている。
【００９７】
図１０（ａ）〜図１０（ｃ）に示すように、処理部１１は、第１縁部記憶領域ＥＡ１の側面領域ＳＡに格納する画像データと同じ画像データを、第１縁部記憶領域ＥＡ１の遠端領域ＦＡに格納する。この結果、第１縁部記憶領域ＥＡ１に縁部画像Ｇの画像データが格納される。同様に、処理部１１は、第２縁部記憶領域ＥＡ２の側面領域ＳＡに格納する画像データと同じ画像データを、第２縁部記憶領域ＥＡ２の遠端領域ＦＡに格納する。この結果、第２縁部記憶領域ＥＡ２に縁部画像Ｇの画像データが格納される。なお、本実施形態に係る処理部１１は、第１縁部記憶領域ＥＡ１に格納する縁部画像Ｇの画像データと同じ画像データを、第２縁部記憶領域ＥＡ２に格納する。
【００９８】
続いて図１１を参照して、縁部画像Ｇの画像データが格納された冊子モデルＢＤについて説明する。図１１は、デジタル立体冊子モデルＢＤに縁部画像Ｇの画像データが格納された状態を示す図である。詳しくは、図１１は、冊子モデルＢＤを小口側から示す。なお、図１１に示す各シートモデルＳＤは、同じ縁部画像Ｇの画像データを、同じ位置に格納している。また、各シートモデルＳＤは、２行で作成されている。
【００９９】
冊子モデルＢＤのうち、冊子の小口に対応する領域は、図９及び図１０（ａ）〜図１０（ｃ）を参照して説明した各シートモデルＳＤの側面領域ＳＡを含む。以下、冊子モデルＢＤのうち、冊子の小口に対応する領域を「冊子小口領域」と記載する場合がある。図１１に示すように、冊子小口領域は、縁部画像Ｇの画像データを格納する。冊子小口領域において、冊子の厚み方向に縁部画像Ｇの画像データが並ぶことにより、冊子小口画像の画像データが生成される。換言すると、冊子小口画像は、冊子の厚み方向に積層された縁部画像Ｇによって構成される。
【０１００】
続いて図２、及び図９〜図１２を参照して、本実施形態に係る小口編集処理について説明する。図１２は、本実施形態に係る小口編集処理を示すフローチャートである。本実施形態に係る小口編集処理は、小口見出し画像Ｇ１を編集する処理である。小口見出し画像Ｇ１は冊子小口画像の一例であり、冊子の小口見出しを示す。
【０１０１】
小口編集処理は、冊子モデルＢＤに各ページ画像の画像データが格納された後に開始される。なお、本実施形態に係る処理部１１は、シートモデルＳＤを重ね合わせる際に、各シートモデルＳＤの表面及び裏面のページ記憶領域ＰＡに対して配列順にページ番号の情報を付与する。具体的には、各シートモデルＳＤの表面及び裏面に関連づけて、対応するページ番号の情報を記憶部１２に記憶させる。
【０１０２】
まず、処理部１１は、グループ数情報を取得する（ステップＳ１２１）。グループ数情報は、冊子に含まれる複数のページを章単位で複数のグループにグループ化するための情報である。具体的には、グループ数情報は、グループの数Ｎを示す。グループ数情報は、例えば、ユーザーが操作パネル４を操作することによって入力される。なお、以下の説明において、グループの数Ｎを「グループ数Ｎ」と記載する場合がある。
【０１０３】
処理部１１は、グループ数情報を取得すると、カウント値ｘをカウントアップする（ステップＳ１２２）。カウント値ｘの初期値は「０」である。カウント値ｘは、処理対象のグループを示す。以下、処理対象のグループを「グループｘ」と記載する場合がある。
【０１０４】
処理部１１は、カウント値ｘをカウントアップすると、グループｘのページ範囲を示すページ範囲情報を取得する（ステップＳ１２３）。ページ範囲情報は、例えば、ユーザーが操作パネル４を操作することによって入力される。
【０１０５】
次に、処理部１１は、ページ範囲情報に基づいて、グループｘに含まれる各縁部記憶領域ＥＡに格納する各縁部画像Ｇの画像データを生成する（ステップＳ１２４）。詳しくは、処理部１１は、各縁部画像Ｇを重ねるとグループｘのページ範囲に対応する領域に小口見出し画像Ｇ１（冊子小口画像）が形成されるように、各縁部画像Ｇの画像データを生成する。換言すると、処理部１１は、冊子の小口に印刷する予定の小口見出し画像Ｇ１に応じて、各縁部画像Ｇの画像データを生成する。
【０１０６】
処理部１１は、各縁部画像Ｇの画像データを生成すると、各シートモデルＳＤの表面及び裏面に対して付与したページ番号の情報と、ページ範囲情報とに基づいて、各縁部画像Ｇの画像データをグループｘの各縁部記憶領域ＥＡに格納する（ステップＳ１２５）。なお、処理部１１は、現在のカウント値ｘに基づいて、縁部記憶領域ＥＡにおける縁部画像Ｇの画像データの位置を決定する。具体的には、処理部１１は、各グループの小口見出し画像Ｇ１が一定の方向にずれるように、グループごとに、縁部画像Ｇの画像データを格納する位置を決定する。典型的には、各グループの小口見出し画像Ｇ１が冊子の天から地に向かう方向にずれるように、縁部画像Ｇの画像データを格納する位置を決定する。
【０１０７】
処理部１１は、グループｘの縁部画像Ｇの画像データを格納すると、カウント値ｘ（処理済みのグループの数）が、グループ数Ｎと一致するか否かを判定する（ステップＳ１２６）。
【０１０８】
処理部１１は、カウント値ｘがグループ数Ｎと一致しないと判定すると（ステップＳ１２６のＮｏ）、ステップＳ１２２においてカウント値ｘをカウントアップして、ステップＳ１２３〜ステップＳ１２６の処理を再度実行する。
【０１０９】
処理部１１は、カウント値ｘがグループ数Ｎと一致すると判定すると（ステップＳ１２６のＹｅｓ）、冊子画像データ及び縁部画像Ｇの画像データに基づいて冊子のプレビュー画像１０１を生成し、タッチパネル４ａ（表示部４１）に冊子のプレビュー画像１０１を表示させる（ステップＳ１２７）。処理部１１は、タッチパネル４ａに冊子のプレビュー画像１０１を表示させると、小口編集処理を終了する。
【０１１０】
以上説明したように、処理部１１は、グループ数情報に基づいて、グループ順に、各グループのページ範囲を示すページ範囲情報を取得する（ステップＳ１２３）。また、処理部１１は、ページ範囲情報に基づいて、グループ順に、縁部画像Ｇの画像データを生成する（ステップＳ１２４）。詳しくは、処理部１１は、縁部画像Ｇを重ねると小口見出し画像Ｇ１（冊子小口画像）が冊子の小口において形成されるように、縁部画像Ｇの画像データを生成する。
【０１１１】
また、処理部１１は、冊子画像データ及び縁部画像Ｇの画像データ（冊子小口画像の画像データ）に基づいて冊子のプレビュー画像１０１を生成する。したがって、冊子のプレビュー画像１０１において、冊子１０２の小口は冊子小口画像を示す。よって、ユーザーは、冊子小口画像（小口見出し画像Ｇ１）を冊子の印刷前に事前に確認することができる。
【０１１２】
続いて図２を参照して、本実施形態に係る画像形成部７について説明する。本実施形態に係る画像形成部７は、シートＳの小口側の縁部に画像を形成できるように構成されている。より詳しくは、画像形成部７は、シートＳの小口側の端まで画像を形成できるように構成されている。
【０１１３】
画像形成部７は、冊子印刷指示が入力されると、冊子モデルＢＤに格納された冊子画像データ及び縁部画像Ｇの画像データに基づいて、各シートＳに画像を形成する。この結果、冊子モデルＢＤにおいて縁部画像Ｇの画像データが格納されたシートモデルＳＤに対応するシートＳに、縁部画像Ｇが形成される。また、画像形成部７がシートＳの小口側の端に縁部画像Ｇを形成することにより、トナー又はインクがシートＳの側面に付着する。この結果、シートＳの側面に縁部画像Ｇが形成される。
【０１１４】
続いて図２、及び図１３〜図１７を参照して、小口編集処理時にタッチパネル４ａ（表示部４１）に表示される問い合わせ画面３００、編集画面３１０、及び小口確認画面３３０について説明する。
【０１１５】
まず、図２及び図１３を参照して、問い合わせ画面３００について説明する。図１３は、問い合わせ画面３００を示す図である。問い合わせ画面３００は、小口編集処理を実行するか否かを問い合わせる画面である。処理部１１は、小口編集処理の開始時に、タッチパネル４ａに問い合わせ画面３００を表示させる。
【０１１６】
図１３に示すように、問い合わせ画面３００は、ラジオボタン３０１、「ＯＫ」ボタン３０２、及び「キャンセル」ボタン３０３を表示する。
【０１１７】
ラジオボタン３０１は、小口編集処理を実行するか否かを選択するためのボタンである。本実施形態において、ラジオボタン３０１は、「はい」ボタンと、「いいえ」ボタンとを含む。「はい」ボタンは小口編集処理を実行するためのボタンであり、「いいえ」ボタンは小口編集処理をキャンセルするためのボタンである。図１３は、「はい」ボタンが選択されている状態を示す。ユーザーは操作パネル４を操作して、「はい」ボタンと「いいえ」ボタンとのうちの一方を選択することができる。
【０１１８】
「ＯＫ」ボタン３０２は、ラジオボタン３０１において選択されている処理を実行するためのボタンである。具体的には、「はい」ボタンが選択されている状態において、ユーザーが操作パネル４を操作して「ＯＫ」ボタン３０２を押下する指示を入力すると、図１４を参照して説明する編集画面３１０がタッチパネル４ａに表示される。また、「いいえ」ボタンが選択されている状態において、ユーザーが操作パネル４を操作して「ＯＫ」ボタン３０２を押下する指示を入力すると、図６（ａ）及び図６（ｂ）を参照して説明した第１プレビュー画面１１０がタッチパネル４ａに表示される。
【０１１９】
「キャンセル」ボタン３０３は、小口編集処理をキャンセルするためのボタンである。ユーザーが操作パネル４を操作して、「キャンセル」ボタン３０３を押下する指示を入力すると、図６（ａ）及び図６（ｂ）を参照して説明した第１プレビュー画面１１０がタッチパネル４ａに表示される。
【０１２０】
なお、本実施形態に係る問い合わせ画面３００は、冊子のプレビュー画像１０１を表示する。但し、問い合わせ画面３００において冊子のプレビュー画像１０１は省略されてもよい。
【０１２１】
続いて図２、及び図１４〜図１６を参照して、編集画面３１０について説明する。編集画面３１０は、小口編集を実行するための画面である。編集画面３１０は、図１４を参照して説明するグループ数設定画面３１０ａと、図１５及び図１６を参照して説明するページ範囲設定画面３１０ｂとを含む。
【０１２２】
まず図２及び図１４を参照して、グループ数設定画面３１０ａについて説明する。図１４は、グループ数設定画面３１０ａを示す図である。グループ数設定画面３１０ａは、グループ数Ｎを設定するための画面である。グループ数設定画面３１０ａは、グループ数設定欄３１１と、「ＯＫ」ボタン３１２ａと、「戻る」ボタン３１３と、「キャンセル」ボタン３０３とを表示する。
【０１２３】
グループ数設定欄３１１は、グループ数Ｎを入力するための設定欄である。処理部１１は、ユーザーによる操作パネル４の操作に応じた数値を、グループ数設定欄３１１に表示する。ユーザーは、操作パネル４を操作することで、グループ数設定欄３１１に任意の数値（グループ数Ｎ）を設定することができる。
【０１２４】
「ＯＫ」ボタン３１２ａは、グループ数Ｎを決定するためのボタンである。ユーザーが、操作パネル４を操作して「ＯＫ」ボタン３１２ａを押下する指示を入力すると、処理部１１は、グループ数設定欄３１１に設定された数値をグループ数Ｎとして取得する。
【０１２５】
「戻る」ボタン３１３は、１つ前の画面に戻るためのボタンである。ユーザーが、操作パネル４を操作して「戻る」ボタン３１３を押下する指示を入力すると、処理部１１は、図１３を参照して説明した問い合わせ画面３００をタッチパネル４ａに表示させる。
【０１２６】
なお、本実施形態に係るグループ数設定画面３１０ａは、冊子のプレビュー画像１０１を表示する。但し、グループ数設定画面３１０ａにおいて冊子のプレビュー画像１０１は省略されてもよい。
【０１２７】
続いて図２、図１５及び図１６を参照して、ページ範囲設定画面３１０ｂについて説明する。図１５及び図１６は、ページ範囲設定画面３１０ｂを示す図である。ページ範囲設定画面３１０ｂは、グループごとにページ範囲を設定するための画面である。
【０１２８】
まず図２及び図１５を参照して、ページ範囲設定画面３１０ｂについて説明する。図１５に示すページ範囲設定画面３１０ｂは、処理部１１がグループ数Ｎを取得した後に表示される。
【０１２９】
図１５に示すように、ページ範囲設定画面３１０ｂは、グループ番号欄３２１と、ラジオボタン３２２と、ページ範囲設定欄３２３と、「ＯＫ」ボタン３１２ｂと、「戻る」ボタン３１３と、「キャンセル」ボタン３０３とを表示する。ページ範囲設定画面３１０ｂは、冊子のプレビュー画像１０１を表示する。
【０１３０】
グループ番号欄３２１は、グループ番号を示す。グループ番号は、ページ範囲を設定する対象（処理対象）のグループを特定する識別番号である。具体的には、グループ番号は、図１２を参照して説明したカウント値ｘに対応する。したがって、グループ番号は、タッチパネル４ａに表示されているページ範囲設定画面３１０ｂが何番目のグループに対応しているかを示す。処理部１１がグループ数Ｎを取得した直後に表示されるグループ番号欄３２１は、グループ番号「１」を示す。換言すると、図１５に示すページ範囲設定画面３１０ｂは、グループ「１」のページ範囲を設定するための画面である。
【０１３１】
ラジオボタン３２２は、小口見出し画像Ｇ１に文字画像を付加するためのボタンである。ラジオボタン３２２は、「既定文字」ボタン３２２ａと、「文字入力」ボタン３２２ｂと、「なし」ボタン３２２ｃとを含む。図１５は、「なし」ボタン３２２ｃが選択されている状態を示す。
【０１３２】
「既定文字」ボタン３２２ａは、小口見出し画像Ｇ１に既定の文字画像を付加するためのボタンである。既定文字は、グループ番号欄３２１に表示されているグループ番号に応じて設定される。例えば、グループ番号欄３２１にグループ番号「１」が表示されている場合、既定文字は「１章」である。
【０１３３】
「文字入力」ボタン３２２ｂは、小口見出し画像Ｇ１に任意の文字画像を付加するためのボタンである。「なし」ボタン３２２ｃは、小口見出し画像Ｇ１に文字画像を付加しないことを決定するボタンである。
【０１３４】
ページ範囲設定欄３２３は、ページ範囲を入力するための設定欄である。処理部１１は、ページ範囲設定欄３２３に、ユーザーによる操作パネル４の操作に応じた数値を表示する。ユーザーは、操作パネル４を操作することで、ページ範囲設定欄３２３に任意の数値（ページ範囲）を設定することができる。例えば、ユーザーは操作パネル４を操作して、各グループの開始ページ番号及び終了ページ番号を設定することができる。
【０１３５】
「ＯＫ」ボタン３１２ｂは、ページ範囲を決定するためのボタンである。ユーザーが、操作パネル４を操作して「ＯＫ」ボタン３１２ｂを押下する指示を入力すると、処理部１１は、ページ範囲設定欄３２３に設定された数値範囲をページ範囲として取得する。また、「ＯＫ」ボタン３１２ｂが押下されると、処理部１１は、ページ範囲を設定する次のグループが存在するか否かを判定する。具体的には、図１２を参照して説明したように、カウント値ｘ（グループ番号欄３２１が示すグループ番号）がグループ数Ｎと一致するか否かを判定する（図１２のステップＳ１２６）。処理部１１は、カウント値ｘがグループ数Ｎと一致しないと判定すると、次のグループに対するページ範囲設定画面３１０ｂをタッチパネル４ａに表示させる。例えば、グループ「１」に対するページ範囲設定画面３１０ｂにおいて「ＯＫ」ボタン３１２ｂが押下されると、グループ「２」に対するページ範囲設定画面３１０ｂが表示される。
【０１３６】
また、本実施形態では、「ＯＫ」ボタン３１２ｂを押下する指示が入力されると、ラジオボタン３２２において選択されている処理が実行される。具体的には、「既定文字」ボタン３２２ａが選択されている状態で「ＯＫ」ボタン３１２ｂが押下されると、「既定文字」ボタン３２２ａに表示されている文字画像が小口見出し画像Ｇ１に付与される。「文字入力」ボタン３２２ｂが選択されている状態で「ＯＫ」ボタン３１２ｂが押下されると、図２０を参照して説明する文字入力画面４００がタッチパネル４ａに表示される。「なし」ボタン３２２ｃが選択されている状態で「ＯＫ」ボタン３１２ｂが押下されると、小口見出し画像Ｇ１に文字画像を付加しないことが決定される。
【０１３７】
なお、グループ番号欄３２１がグループ番号「１」を示す場合、ユーザーが操作パネル４を操作して、「戻る」ボタン３１３を押下する指示を入力すると、処理部１１は、図１４を参照して説明したグループ数設定画面３１０ａをタッチパネル４ａに表示させる。
【０１３８】
続いて図２、図１５及び図１６を参照して、ページ範囲設定画面３１０ｂについて更に説明する。図１６は、グループ「２」に対するページ範囲設定画面３１０ｂを示す。グループ「２」に対するページ範囲設定画面３１０ｂにおいて、グループ番号欄３２１はグループ番号「２」を示す。また、「既定文字」ボタン３２２ａは、「２章」を示す。
【０１３９】
図１６に示すように、グループ「２」に対するページ範囲設定画面３１０ｂにおいて、冊子のプレビュー画像１０１は、小口見出し画像Ｇ１を示す。小口見出し画像Ｇ１は、冊子１０２の小口において、グループ「１」に対して設定されたページ範囲に対応する領域に表示される。
【０１４０】
また、グループ「１」に対して設定されたページ範囲は、冊子の最初のページを含む。この結果、冊子のプレビュー画像１０１は、冊子の最初のページに形成される縁部画像Ｇを示す。
【０１４１】
なお、グループ番号欄３２１がグループ番号「２」を示す場合、ユーザーが操作パネル４を操作して、「戻る」ボタン３１３を押下する指示を入力すると、処理部１１は、グループ「１」に対するページ範囲設定画面３１０ｂをタッチパネル４ａに表示させる。
【０１４２】
以上、ページ範囲設定画面３１０ｂについて説明した。処理部１１は、「ＯＫ」ボタン３１２ｂの押下を検知するごとに、ページ範囲設定画面３１０ｂを遷移させる。具体的には、処理部１１は、図１４を参照して説明したグループ数設定画面３１０ａによって設定されたグループ数Ｎに応じた回数だけ、ページ範囲設定画面３１０ｂを遷移させる。処理部１１は、全てのグループのページ範囲を取得すると、図１７を参照して説明する小口確認画面３３０をタッチパネル４ａに表示させる。
【０１４３】
なお、処理部１１は、ページ範囲情報として、各グループの開始ページ番号を示す情報と、各グループのページ数を示す情報とを取得してもよい。
【０１４４】
続いて図２及び図１７を参照して、小口確認画面３３０について説明する。図１７は、小口確認画面３３０を示す図である。図１７に示すように、小口確認画面３３０は、冊子のプレビュー画像１０１と、「ＯＫ」ボタン３３１と、「戻る」ボタン３３２と、「キャンセルボタン」３０３とを表示する。小口確認画面３３０は、小口編集処理によって作成された冊子小口画像を確認するための画面である。
【０１４５】
小口確認画面３３０において、冊子のプレビュー画像１０１は、全てのグループの小口見出し画像Ｇ１を示す。また、冊子のプレビュー画像１０１は、冊子の最初のページに形成される縁部画像Ｇを示す。したがって、ユーザーは、小口見出し画像Ｇ１を冊子の印刷前に事前に確認することができる。また、ユーザーは、冊子の最初のページに形成される縁部画像Ｇを冊子の印刷前に事前に確認することができる。なお、本実施形態において、各グループの小口見出し画像Ｇ１は、冊子の天から地に向かう方向にずれるように配置される。
【０１４６】
「ＯＫ」ボタン３３１は、冊子小口画像（小口見出し画像Ｇ１）を確定するためのボタンである。ユーザーが、操作パネル４を操作して「ＯＫ」ボタン３３１を押下する指示を入力すると、処理部１１は、小口編集処理を終了する。処理部１１は、小口編集処理を終了すると、図１８（ａ）を参照して説明する第１プレビュー画面１１０をタッチパネル４ａに表示させる。
【０１４７】
「戻る」ボタン３３２は、１つ前の画面に戻るためのボタンである。ユーザーが操作パネル４を操作して、「戻る」ボタン３３２を押下する指示を入力すると、最後にページ範囲が設定されたグループに対するページ範囲設定画面３１０ｂがタッチパネル４ａに表示される。
【０１４８】
続いて図１８（ａ）〜図１８（ｃ）を参照して、本実施形態に係る第１プレビュー画面１１０、及び第２プレビュー画面１２０（第１ページ確認画面１２１及び第２ページ確認画面１２２）について説明する。
【０１４９】
まず図１８（ａ）を参照して、本実施形態に係る第１プレビュー画面１１０について説明する。図１８（ａ）は、本実施形態に係る第１プレビュー画面１１０を示す図である。図１８（ａ）に示すように、第１プレビュー画面１１０において、冊子のプレビュー画像１０１は、全てのグループの小口見出し画像Ｇ１を示す。また、冊子のプレビュー画像１０１は、冊子の最初のページに形成される縁部画像Ｇを示す。
【０１５０】
続いて図１８（ｂ）を参照して、本実施形態に係る第１ページ確認画面１２１について説明する。図１８（ｂ）は、本実施形態に係る第１ページ確認画面１２１を示す図である。図７（ａ）及び図７（ｂ）を参照して説明したように、第１ページ確認画面１２１において第１分割指示が入力されると、第１分割冊子１０４の最上層のシート１０２ａが、第２表示領域Ａ２に移動する。したがって、冊子のプレビュー画像１０１（ページ確認プレビュー画像）は、第１表示領域Ａ１において、各シートＳの表面（奇数ページ）に形成される縁部画像Ｇを示す。よって、ユーザーは、冊子の奇数ページに形成される縁部画像Ｇを冊子の印刷前に事前に確認することができる。
【０１５１】
続いて図１８（ｃ）を参照して、本実施形態に係る第２ページ確認画面１２２について説明する。図１８（ｃ）は、本実施形態に係る第２ページ確認画面１２２を示す図である。図８（ａ）及び図８（ｂ）を参照して説明したように、第２ページ確認画面１２２において第２分割指示が入力されると、第３分割冊子１０６の最下層のシート１０２ａが、第４表示領域Ａ４に移動する。したがって、冊子のプレビュー画像１０１（ページ確認プレビュー画像）は、第４表示領域Ａ４において、各シートＳの裏面（奇数ページ）に形成される縁部画像Ｇを示す。よって、ユーザーは、冊子の偶数ページに形成される縁部画像Ｇを冊子の印刷前に事前に確認することができる。
【０１５２】
続いて図１９を参照して、「既定文字」ボタン３２２ａについて更に説明する。図１９は、ページ範囲設定画面３１０ｂの他の例を示す図である。詳しくは、図１９は、グループ「２」に対するページ範囲設定画面３１０ｂを示す。図１９に示すページ範囲設定画面３１０ｂは、グループ「１」に対するページ範囲設定画面３１０ｂにおいて「既定文字」ボタン３２２ａが選択された場合に表示される。
【０１５３】
グループ「１」に対するページ範囲設定画面３１０ｂにおいて「既定文字」ボタン３２２ａが選択された場合、グループ「１」の小口見出し画像Ｇ１に対して文字列画像「１章」が付与される。この結果、図１９に示すように、文字列画像「１章」を含む小口見出し画像Ｇ１が表示される。したがって、ユーザーは、小口見出しに既定の文字を付加した状態を冊子の印刷前に事前に確認することができる。
【０１５４】
続いて図２、及び図２０を参照して、「文字入力」ボタン３２２ｂについて更に説明する。図１５を参照して説明したように、「文字入力」ボタン３２２ｂが選択されると、文字入力画面４００がタッチパネル４ａに表示される。図２０は、本実施形態に係る文字入力画面４００を示す図である。文字入力画面４００は、文字を入力するための画面である。
【０１５５】
図２０に示すように、文字入力画面４００は、文字表示欄４０１を含む。また、文字入力画面４００は、複数の文字入力キー４０３、文字削除キー４０４、確定キー４０５、変換キー４０６、及びモード切替キー４０７を含む。本実施形態において、複数の文字入力キー４０３は、アルファベット文字「Ａ」〜「Ｚ」、及び数字「０」〜「９」に対応する。文字削除キー４０４は、「ＢａｃｋＳｐａｃｅキー」である。確定キー４０５は、「Ｅｎｔｅｒキー」である。変換キー４０６は、「Ｓｐａｃｅキー」である。
【０１５６】
文字入力キー４０３は、文字を入力するためのキーである。文字表示欄４０１は、ユーザーが操作パネル４を操作して選択した文字入力キー４０３に対応する文字を表示する。詳しくは、ユーザーが操作パネル４を操作して、文字入力キー４０３のうちのいずれかのキーを押下する指示を入力すると、処理部１１は、押下された文字入力キー４０３に対応する文字を取得して、文字表示欄４０１に表示させる。文字表示欄４０１に表示された文字は、文字削除キー４０４を押下する指示が入力されることによって削除される。
【０１５７】
モード切替キー４０７は、ローマ字入力モードと英数入力モードとの間で文字入力モードを切り替えるためのキーである。ユーザーが操作パネル４を操作して、モード切替キー４０７を押下する指示を入力する度に、文字入力モードが切り替わる。
【０１５８】
文字入力モードとしてローマ字入力モードが選択されている場合、ローマ字表記法（ローマ字）に従って文字入力キー４０３が選択されると、かな文字が文字表示欄４０１に表示される。また、文字入力モードとして英数入力モードが選択されている場合、選択された文字入力キー４０３に対応するアルファベット文字「Ａ」〜「Ｚ」又は数字「０」〜「９」が文字表示欄４０１に表示される。
【０１５９】
変換キー４０６は、文字種を変換するためのキーである。例えば、文字表示欄４０１に表示された文字が「かな文字」である場合、変換キー４０６を押下する指示が入力されると、処理部１１は「かな文字」に対応する「漢字文字」を取得して、文字表示欄４０１に表示させる。
【０１６０】
確定キー４０５は、文字の入力を確定するためのキーである。ユーザーが操作パネル４を操作して、確定キー４０５を押下する指示を入力すると、処理部１１は、文字表示欄４０１に表示された文字の入力を確定する。図２０は、文字列「１章」の入力が確定した状態を示している。
【０１６１】
ページ範囲設定画面３１０ｂにおいて「文字入力」ボタン３２２ｂが選択された場合、処理部１１は、文字入力画面４００によって確定した文字を示す文字画像を、小口見出し画像Ｇ１に付与する。したがって、ユーザーは、各小口見出し画像Ｇ１に対して任意の文字画像を付与することができる。
【０１６２】
以上、実施形態２について説明した。本実施形態によれば、冊子の小口に小口見出し画像Ｇ１を付加することができる。また、本実施形態によれば、小口見出し画像Ｇ１を冊子の印刷前に事前に確認することができる。
【０１６３】
なお、本実施形態では、冊子モデルＢＤに各ページ画像の画像データが格納された後に小口編集処理が実行されたが、小口編集処理は、冊子モデルＢＤに各ページ画像の画像データが格納される前に実行されてもよい。
【０１６４】
また、本実施形態では、ユーザーの操作によってグループ数情報及びページ範囲情報が入力されたが、処理部１１が、文字認識処理により、グループ数情報及びページ範囲情報を取得してもよい。換言すると、文字認識処理により、冊子モデルＢＤを章単位でグループ化してもよい。文字認識処理は、典型的には、光学的文字認識（Ｏｐｔｉｃａｌ  Ｃｈａｒａｃｔｅｒ  Ｒｅｃｏｇｎｉｔｉｏｎ；ＯＣＲ）処理である。具体的には、処理部１１は、各ページ画像の画像データに対して文字認識処理を実行して、章番号を示す文字画像と、ページ番号を示す文字画像とを検索する。又は、処理部１１は、章番号を含む各ページ画像において、ページ番号を示す文字画像を検索する。処理部１１は、章番号の検索結果に基づいてグループ数Ｎを判定する。また、処理部１１は、ページ番号の検索結果に基づいて各グループ（各章）のページ範囲を判定する。あるいは、処理部１１は、各シートモデルＳＤに付与したページ番号の情報に基づいて、各グループ（各章）のページ範囲を判定してもよい。
【０１６５】
また、本実施形態では、ページ範囲設定画面３１０ｂにおいて、各小口見出し画像Ｇ１を形成する範囲（ページ範囲）がユーザーの操作によって設定されたが、ユーザーの操作によって小口見出し画像Ｇ１の他の属性が設定されてもよい。例えば、ユーザーの操作により、小口見出し画像Ｇ１の位置、及び小口見出し画像Ｇ１の色が設定されてもよい。
【０１６６】
図２１は、本実施形態に係るページ範囲設定画面３１０ｂの他の例を示す図である。詳しくは、図２１は、グループ「１」に対するページ範囲設定画面３１０ｂの他の例を示す。図２１に示すページ範囲設定画面３１０ｂは、位置情報設定欄３２４、及び色設定欄３２５を更に表示する。
【０１６７】
位置情報設定欄３２４は、小口見出し画像Ｇ１の位置を設定するための設定欄である。具体的には、位置情報設定欄３２４は、冊子の上端（冊子の天側の端）から小口見出し画像Ｇ１の上端（冊子の天側の端）までの間隔ｈを設定するための設定欄である。処理部１１は、ユーザーによる操作パネル４の操作に応じた数値（位置設定情報）を位置情報設定欄３２４に表示させる。これにより、ユーザーは、操作パネル４を操作して、小口見出し画像Ｇ１の位置を設定（指定）することができる。また、ユーザーが操作パネル４を操作して「ＯＫ」ボタン３１２ｂを押下する指示を入力すると、処理部１１は位置情報設定欄３２４に設定された数値を位置設定情報として取得する。この結果、位置設定情報に応じた位置（位置情報設定欄３２４に設定された数値に対応する位置）に小口見出し画像Ｇ１が配置される。詳しくは、処理部１１は、縁部記憶領域ＥＡにおいて、位置設定情報に応じた位置に縁部画像Ｇの画像データを格納する。
【０１６８】
色設定欄３２５は、小口見出し画像Ｇ１の色（背景色）を設定するための設定欄である。処理部１１は、ユーザーによる操作パネル４の操作に応じた色の種類（色設定情報）を色設定欄３２５に表示させる。これにより、ユーザーは、操作パネル４を操作して、小口見出し画像Ｇ１の色を設定（指定）することができる。また、ユーザーが操作パネル４を操作して「ＯＫ」ボタン３１２ｂを押下する指示を入力すると、処理部１１は、色設定欄３２５に表示された色の種類を示す情報を色設定情報として取得する。この結果、小口見出し画像Ｇ１の色が、色設定情報（色設定欄３２５に設定された色の種類を示す情報）に応じた色に設定される。
【０１６９】
［実施形態３］
続いて図１、図２、図９〜図１１、及び図２２〜図２５を参照して本発明の実施形態３について説明する。但し、実施形態１及び２と異なる事項を説明し、実施形態１及び２と同じ事項についての説明は割愛する。実施形態３は、小口編集処理が実施形態１及び２と異なる。詳しくは、実施形態３に係る小口編集処理は、小口文字画像Ｇ２を編集する処理を含む。小口文字画像Ｇ２は、冊子小口画像の一例である。
【０１７０】
まず図２、図９〜図１１、及び図２２を参照して、本実施形態に係る小口編集処理について説明する。図２２は、本実施形態に係る小口編集処理を示すフローチャートである。詳しくは、図２２は、小口文字画像Ｇ２を編集する処理を示す。
【０１７１】
本実施形態に係る処理部１１は、小口編集処理を開始すると、編集対象選択画面をタッチパネル４ａに表示させる。編集対象選択画面は、小口見出し画像Ｇ１の編集処理と小口文字画像Ｇ２の編集処理とのうちの一方をユーザーに選択させる画面である。ユーザーが操作パネル４を操作して小口文字画像Ｇ２の編集処理を選択すると、処理部１１は、図２２に示す処理を開始する。なお、小口見出し画像Ｇ１の編集処理が選択された場合、実施形態２において説明した小口見出し画像Ｇ１を編集する処理が実行される。
【０１７２】
処理部１１は、小口文字画像Ｇ２の編集処理を開始すると、文字画像の画像データを生成する（ステップＳ２２１）。詳しくは、処理部１１は、図２０を参照して説明した文字入力画面４００をタッチパネル４ａに表示させる。処理部１１は、文字入力画面４００によって確定した文字を示す文字画像の画像データを生成する。なお、文字画像のフォントサイズ及び文字数の上限は予め既定されている。
【０１７３】
次に、処理部１１は、文字画像の画像データに基づいて、複数の縁部画像Ｇの画像データを生成する（ステップＳ２２２）。詳しくは、処理部１１は、シートモデルＳＤを重ねる方向に、ページ単位（縁部記憶領域ＥＡ単位）で、文字画像の画像データを分割する。処理部１１は、分割した画像データに基づいて、複数の縁部画像Ｇの画像データを生成する。
【０１７４】
処理部１１は、複数の縁部画像Ｇの画像データを生成すると、複数の縁部画像Ｇの画像データを冊子モデルＢＤに格納する（ステップＳ２２３）。詳しくは、処理部１１は、複数の縁部画像Ｇを重ねると小口文字画像Ｇ２が形成されるように、複数の縁部画像Ｇの画像データを複数の縁部記憶領域ＥＡに格納する。この結果、冊子モデルＢＤに小口文字画像Ｇ２の画像データが格納される。換言すると、小口文字画像Ｇ２の画像データが生成される。
【０１７５】
処理部１１は、複数の縁部画像Ｇの画像データを冊子モデルＢＤに格納すると、冊子画像データ及び縁部画像Ｇの画像データに基づいて冊子のプレビュー画像１０１を生成し、タッチパネル４ａ（表示部４１）に冊子のプレビュー画像１０１を表示させる（ステップＳ２２４）。処理部１１は、タッチパネル４ａに冊子のプレビュー画像１０１を表示させると、小口編集処理を終了する。
【０１７６】
続いて図２及び図２３を参照して、編集対象選択画面５００について説明する。処理部１１は、図１３を参照して説明した問い合わせ画面３００を介して小口編集処理の実行が選択された場合、編集対象選択画面５００をタッチパネル４ａに表示させる。
【０１７７】
図２３は、本実施形態に係る編集対象選択画面５００を示す図である。図２３に示すように、編集対象選択画面５００は、ラジオボタン５０１、「ＯＫ」ボタン５０２、「戻る」ボタン５０３、及び「キャンセル」ボタン３０３を表示する。
【０１７８】
ラジオボタン５０１は、小口見出し画像Ｇ１の編集処理と小口文字画像Ｇ２の編集処理とのうちの一方を選択するためのボタンである。本実施形態において、ラジオボタン５０１は、「見出し」ボタンと、「文字」ボタンとを含む。「見出し」ボタンは小口見出し画像Ｇ１の編集処理を実行するためのボタンであり、「文字」ボタンは小口文字画像Ｇ２の編集処理を実行するためのボタンである。図２３は、小口文字画像Ｇ２の編集処理が選択されている状態を示す。ユーザーは操作パネル４を操作して、「見出し」ボタンと「文字」ボタンとのうちの一方を選択することができる。
【０１７９】
「ＯＫ」ボタン５０２は、ラジオボタン５０１において選択されている処理を実行するためのボタンである。具体的には、「見出し」ボタンが選択されている状態において、ユーザーが操作パネル４を操作して「ＯＫ」ボタン５０２を押下する指示を入力すると、実施形態２において説明した小口見出し画像Ｇ１の編集処理が開始される。一方、「文字」ボタンが選択されている状態において、ユーザーが操作パネル４を操作して「ＯＫ」ボタン５０２を押下する指示を入力すると、処理部１１は、文字入力画面４００をタッチパネル４ａに表示させる。
【０１８０】
「戻る」ボタン５０３は、１つ前の画面に戻るためのボタンである。ユーザーが、操作パネル４を操作して「戻る」ボタン５０３を押下する指示を入力すると、処理部１１は、問い合わせ画面３００をタッチパネル４ａに表示させる。
【０１８１】
続いて図２、図２４（ａ）及び図２４（ｂ）を参照して、位置情報設定画面５１０及び小口確認画面３３０について説明する。図２４（ａ）は本実施形態に係る位置情報設定画面５１０を示す図であり、図２４（ｂ）は本実施形態に係る小口確認画面３３０を示す図である。処理部１１は、文字入力画面４００を介して文字又は文字列が入力されると、位置情報設定画面５１０をタッチパネル４ａに表示させる。
【０１８２】
位置情報設定画面５１０は、小口文字画像Ｇ２の位置を設定するための画面である。図２４（ａ）に示すように、位置情報設定画面５１０は、冊子のプレビュー画像１０１、位置情報設定欄５１１、「ＯＫ」ボタン５１２、「戻る」ボタン５１３、及び「キャンセルボタン」３０３を表示する。
【０１８３】
位置情報設定画面５１０において、冊子のプレビュー画像１０１は、小口文字画像Ｇ２を表示する。小口文字画像Ｇ２は、冊子１０２の小口に配置される。小口文字画像Ｇ２は、文字入力画面４００によって確定した文字を示す。図２４（ａ）では、小口文字画像Ｇ２として文字列画像「ＡＢＣ」を例示している。なお、他の図面においても同様に、小口文字画像Ｇ２として文字列画像「ＡＢＣ」を例示する。
【０１８４】
位置情報設定欄５１１は、小口文字画像Ｇ２の位置を設定するための設定欄である。本実施形態において、位置情報設定欄５１１は、「冊子の上端までの間隔」欄５１１ａ、及び「冊子の表紙までの間隔」欄５１１ｂを含む。「冊子の上端までの間隔」欄５１１ａは、冊子の上端（冊子の天側の端）から小口文字画像Ｇ２の上端（冊子の天側の端）までの間隔ｈを設定するための設定欄である。「冊子の表紙までの間隔」欄５１１ｂは、冊子の表紙から小口文字画像Ｇ２までの間隔ｗを設定するための設定欄である。詳しくは、間隔ｗは、冊子の表紙から、小口文字画像Ｇ２の冊子の表紙側の端までの間隔を示す。処理部１１は、ユーザーによる操作パネル４の操作に応じた数値（位置設定情報）を「冊子の上端までの間隔」欄５１１ａ、及び「冊子の表紙までの間隔」欄５１１ｂに表示させる。これにより、ユーザーは、操作パネル４を操作して、小口文字画像Ｇ２の位置を設定（指定）することができる。
【０１８５】
「ＯＫ」ボタン５１２は、小口文字画像Ｇ２の位置を決定するためのボタンである。ユーザーが操作パネル４を操作して、「ＯＫ」ボタン５１２を押下する指示を入力すると、処理部１１は、位置情報設定欄５１１に表示された各数値を位置設定情報として取得する。この結果、位置設定情報に応じた位置（位置情報設定欄５１１に設定された各数値に対応する位置）に小口文字画像Ｇ２が配置される。詳しくは、処理部１１は、縁部記憶領域ＥＡにおいて、位置設定情報に応じた位置に縁部画像Ｇの画像データを格納する。
【０１８６】
「戻る」ボタン５１３は、１つ前の画面に戻るためのボタンである。ユーザーが、操作パネル４を操作して「戻る」ボタン５１３を押下する指示を入力すると、処理部１１は、文字入力画面４００をタッチパネル４ａに表示させる。
【０１８７】
続いて図２及び図２４（ｂ）を参照して、本実施形態に係る小口確認画面３３０について説明する。処理部１１は、位置情報設定画面５１０において「ＯＫ」ボタン５１２を押下する指示が入力されると、小口確認画面３３０をタッチパネル４ａに表示させる。
【０１８８】
図２４（ｂ）に示すように、小口確認画面３３０は、冊子のプレビュー画像１０１と、「ＯＫ」ボタン３３１と、「戻る」ボタン３３２と、「キャンセルボタン」３０３とを表示する。小口確認画面３３０において、冊子のプレビュー画像１０１は、小口文字画像Ｇ２を示す。小口文字画像Ｇ２は、冊子１０２の小口において、位置情報設定画面５１０を介して設定された位置に配置される。
【０１８９】
ユーザーが操作パネル４を操作して、「ＯＫ」ボタン３３１を押下する指示を入力すると、処理部１１は小口編集処理を終了して、図２５（ａ）を参照して説明する第１プレビュー画面１１０をタッチパネル４ａに表示させる。一方、ユーザーが操作パネル４を操作して、「戻る」ボタン３３２を押下する指示を入力すると、位置情報設定画面５１０がタッチパネル４ａに表示される。
【０１９０】
続いて図２５（ａ）〜図２５（ｃ）を参照して、本実施形態に係る第１プレビュー画面１１０、及び第２プレビュー画面１２０（第１ページ確認画面１２１及び第２ページ確認画面１２２）について説明する。
【０１９１】
まず図２５（ａ）を参照して、本実施形態に係る第１プレビュー画面１１０について説明する。図２５（ａ）は、本実施形態に係る第１プレビュー画面１１０を示す図である。図２５（ａ）に示すように、第１プレビュー画面１１０において、冊子のプレビュー画像１０１は、小口文字画像Ｇ２を示す。
【０１９２】
続いて図２５（ｂ）及び図２５（ｃ）を参照して、本実施形態に係る第１ページ確認画面１２１及び第２ページ確認画面１２２について説明する。図２５（ｂ）は本実施形態に係る第１ページ確認画面１２１を示す図であり、図２５（ｃ）は本実施形態に係る第２ページ確認画面１２２を示す図である。図２５（ｂ）及び図２５（ｃ）に示すように、第１ページ確認画面１２１は、シートＳの表面に形成される縁部画像Ｇを示し、第２ページ確認画面１２２は、シートＳの裏面に形成される縁部画像Ｇを示す。
【０１９３】
以上、実施形態３について説明した。本実施形態によれば、冊子の小口に小口文字画像Ｇ２を付加することができる。また、本実施形態によれば、小口文字画像Ｇ２を冊子の印刷前に事前に確認することができる。
【０１９４】
なお、本実施形態において、小口文字画像Ｇ２に含まれる文字のフォントサイズは予め既定されたが、フォントサイズは、ユーザーの操作によって設定されてもよい。この場合、文字数の上限は、設定されたフォントサイズに応じて変更され得る。
【０１９５】
また、本実施形態において、小口文字画像Ｇ２に含まれる文字列は１列であったが、文字列は２列以上であり得る。文字のフォントサイズの設定が可能な場合、設定されたフォントサイズに応じて、文字列の上限が変更されてもよい。
【０１９６】
また、本実施形態では、冊子の表紙から小口文字画像Ｇ２までの間隔ｗがユーザーの操作によって設定されたが、冊子の裏表紙から小口文字画像Ｇ２までの間隔がユーザーの操作によって設定されてもよい。
【０１９７】
また、本実施形態では、小口文字画像Ｇ２の位置がユーザーの操作によって設定されたが、小口文字画像Ｇ２は、予め既定された位置に配置されてもよい。
【０１９８】
［実施形態４］
続いて図１、図２、図２６、及び図２７を参照して本発明の実施形態４について説明する。但し、実施形態１〜３と異なる事項を説明し、実施形態１〜３と同じ事項についての説明は割愛する。実施形態４は、冊子作成プロセスが実施形態１〜３と異なる。具体的には、実施形態４に係る冊子作成プロセスは、既存の冊子のページ画像の少なくとも一部を差し替えるページ差し替え処理を含む。以下、差し替えられるページ画像を「差し替えページ画像」と記載する場合がある。
【０１９９】
図２６は、ページ差し替え処理を示すフローチャートである。ページ差し替え処理は、冊子モデルＢＤが作成され、冊子モデルＢＤに対して冊子画像データが付加された後に実行される。あるいは、ページ差し替え処理は、冊子モデルＢＤに対し、冊子画像データ、及び縁部画像Ｇの画像データ（冊子小口画像の画像データ）が付加された後に実行される。縁部画像Ｇの画像データは、実施形態２又は実施形態３において説明した小口編集処理によって冊子モデルＢＤに付加される。ページ差し替え処理において冊子モデルＢＤに付加される冊子画像データは、既存の冊子の冊子画像データである。
【０２００】
まず、処理部１１は、差し替えページ画像の画像データを記憶部１２から取得する（ステップＳ２６１）。差し替えページ画像の画像データは、例えば、画像読取装置５によって生成されて、記憶部１２に格納される。あるいは、差し替えページ画像の画像データは、通信部１０が外部機器から取得して、記憶部１２に格納される。
【０２０１】
処理部１１は、差し替えページ画像の画像データを取得すると、デジタル立体ページモデルＰＤを３次元配列で記憶部１２に格納する。換言すると、３次元配列のデジタル立体ページモデルＰＤを生成する（ステップＳ２６２）。３次元配列のデジタル立体ページモデルＰＤは、ページの立体形状を示す。以下、デジタル立体ページモデルＰＤを「ページモデルＰＤ」と記載する場合がある。具体的には、処理部１１は、シートサイズを示す情報（シートＳの主走査方向及び副走査方向のサイズを示す情報）に基づいてページモデルＰＤを生成する。ページモデルＰＤは、１行で作成される。処理部１１は、ページモデルＰＤを生成すると、差し替えページ画像の画像データをページモデルＰＤに格納する。
【０２０２】
処理部１１は、差し替えページ画像の画像データをページモデルＰＤに格納すると、差し替えページのページ番号を判定する（ステップＳ２６３）。例えば、処理部１１は、差し替えページ画像の画像データに対して文字認識処理を実行して、差し替えページのページ番号を判定する。あるいは、ユーザーによる操作パネル４の操作により、差し替えページのページ番号を示す情報が入力される。
【０２０３】
処理部１１は、差し替えページのページ番号を判定すると、冊子モデルＢＤに含まれる縁部記憶領域ＥＡのうち、該当するページ（以下、「差し替え対象ページ」と記載する。）の縁部記憶領域ＥＡに縁部画像Ｇの画像データが格納されているか否かを判定する（ステップＳ２６４）。
【０２０４】
処理部１１は、差し替え対象ページの縁部記憶領域ＥＡに縁部画像Ｇの画像データが格納されていると判定した場合（ステップＳ２６４のＹｅｓ）、その縁部画像Ｇの画像データと同じ画像データを、ページモデルＰＤの縁部記憶領域ＥＡに格納する（ステップＳ２６５）。詳しくは、処理部１１は、ページモデルＰＤの縁部記憶領域ＥＡのうち、差し替え対象ページにおける縁部画像Ｇの位置と同じ位置に、縁部画像Ｇの画像データを格納する。
【０２０５】
処理部１１は、ページモデルＰＤに縁部画像Ｇの画像データを格納すると、冊子モデルＢＤのうち、差し替え対象ページに対応するページ記憶領域ＰＡをページモデルＰＤと差し替えて（ステップＳ２６６）、ページ差し替え処理を終了する。
【０２０６】
また、処理部１１は、差し替え対象ページの縁部記憶領域ＥＡに縁部画像Ｇの画像データが格納されていないと判定した場合（ステップＳ２６４のＮｏ）、ステップＳ２６６の処理を実行して、ページ差し替え処理を終了する。
【０２０７】
なお、ページ差し替え処理によって差し替えることが可能なページの数は、１ページに限定されるものではなく、複数のページを差し替えることが可能である。
【０２０８】
続いて図２７を参照して、ページ差し替え処理後のデジタル立体冊子モデルＢＤについて説明する。図２７は、ページ差し替え処理後のデジタル立体冊子モデルＢＤを示す図である。図２７に示す冊子モデルＢＤは、小口見出し画像Ｇ１の画像データ（縁部画像Ｇの画像データ）を格納している。
【０２０９】
図２７に示すように、冊子モデルＢＤに含まれるページ画像の画像データを差し替える場合、ページモデルＰＤが生成される。ページモデルＰＤは、差し替えページ画像の画像データを格納する。
【０２１０】
ページ差し替え処理が実行されると、冊子モデルＢＤのうち、差し替え対象ページに対応するページ記憶領域ＰＡがページモデルＰＤに差し替えられる。冊子モデルＢＤが、小口見出し画像Ｇ１の画像データを格納している場合、ページモデルＰＤの縁部記憶領域ＥＡに縁部画像Ｇの画像データが格納される。
【０２１１】
なお、図２７では、冊子小口画像として小口見出し画像Ｇ１を例示したが、冊子小口画像は、実施形態３において説明した小口文字画像Ｇ２であってもよい。
【０２１２】
以上、実施形態４について説明した。本実施形態によれば、既存の冊子に含まれるページ画像のうちの一部を、新たなページ画像に差し替えることができる。また、本実施形態によれば、ページ差し替え処理後の冊子のプレビュー画像１０１を冊子の印刷前に事前に確認することができる。
【０２１３】
［実施形態５］
続いて図１、図２、図２８、及び図２９を参照して本発明の実施形態５について説明する。但し、実施形態１〜４と異なる事項を説明し、実施形態１〜４と同じ事項についての説明は割愛する。実施形態５は、冊子作成プロセスが実施形態１〜４と異なる。具体的には、実施形態５に係る冊子作成プロセスは、既存の冊子にページ画像を追加するページ追加処理を含む。以下、追加するページ画像を「追加ページ画像」と記載する場合がある。
【０２１４】
図２８は、ページ追加処理を示すフローチャートである。ページ追加処理は、冊子モデルＢＤが作成され、冊子モデルＢＤに対して冊子画像データが付加された後に実行される。あるいは、ページ追加処理は、冊子モデルＢＤに対し、冊子画像データ、及び縁部画像Ｇの画像データ（冊子小口画像の画像データ）が付加された後に実行される。縁部画像Ｇの画像データは、実施形態２又は実施形態３において説明した小口編集処理によって冊子モデルＢＤに付加される。ページ追加処理において冊子モデルＢＤに付加される冊子画像データは、既存の冊子の冊子画像データである。
【０２１５】
まず、処理部１１は、追加ページ画像の画像データを記憶部１２から取得する（ステップＳ２８１）。追加ページ画像の画像データは、例えば、画像読取装置５によって生成されて、記憶部１２に格納される。あるいは、追加ページ画像の画像データは、通信部１０が外部機器から取得して、記憶部１２に格納される。
【０２１６】
処理部１１は、追加ページ画像の画像データを取得すると、ページモデルＰＤを生成する（ステップＳ２８２）。処理部１１は、ページモデルＰＤを生成すると、追加ページ画像の画像データをページモデルＰＤに格納する。
【０２１７】
処理部１１は、追加ページ画像の画像データをページモデルＰＤに格納すると、追加ページのページ番号を判定する（ステップＳ２８３）。例えば、処理部１１は、追加ページ画像の画像データに対して文字認識処理を実行して、追加ページのページ番号を判定する。あるいは、ユーザーによる操作パネル４の操作により、追加ページのページ番号を示す情報が入力される。
【０２１８】
処理部１１は、追加ページのページ番号を判定すると、冊子モデルＢＤに含まれる縁部記憶領域ＥＡのうち、該当するページ（以下、「繰り下げ対象ページ」と記載する。）に含まれる縁部記憶領域ＥＡに縁部画像Ｇの画像データが格納されているか否かを判定する（ステップＳ２８４）。
【０２１９】
処理部１１は、繰り下げ対象ページの縁部記憶領域ＥＡに縁部画像Ｇの画像データが格納されていると判定した場合（ステップＳ２８４のＹｅｓ）、繰り下げ対象ページの前ページに含まれる縁部記憶領域ＥＡが、繰り下げ対象ページと同じ縁部画像Ｇの画像データを格納しているか否かを判定する（ステップＳ２８５）。典型的には、処理部１１は、繰り下げ対象ページの前ページと繰り下げ対象ページとの間で、縁部記憶領域ＥＡにおける縁部画像Ｇの画像データの位置が同じであるか否かを判定する。
【０２２０】
処理部１１は、繰り下げ対象ページの前ページに含まれる縁部記憶領域ＥＡが、繰り下げ対象ページと同じ縁部画像Ｇの画像データを格納していると判定した場合（ステップＳ２８５のＹｅｓ）、繰り下げ対象ページの縁部画像Ｇの画像データと同じ画像データを、ページモデルＰＤの縁部記憶領域ＥＡに格納する（ステップＳ２８６）。詳しくは、処理部１１は、ページモデルＰＤの縁部記憶領域ＥＡのうち、繰り下げ対象ページにおける縁部画像Ｇの位置と同じ位置に、縁部画像Ｇの画像データを格納する。
【０２２１】
一方、処理部１１は、繰り下げ対象ページの前ページに含まれる縁部記憶領域ＥＡが、繰り下げ対象ページと同じ縁部画像Ｇの画像データを格納していないと判定した場合（ステップＳ２８５のＮ０）、繰り下げ対象ページの縁部画像Ｇの画像データを選択するか否かを問い合わせる問い合わせ画面をタッチパネル４ａに表示させる（ステップＳ２８８）。
【０２２２】
ユーザーが操作パネル４を操作して、繰り下げ対象ページの縁部画像Ｇの画像データを選択する指示を入力した場合（ステップＳ２８８のＹｅｓ）、処理部１１は、ステップＳ２８６の処理を実行する。一方、ユーザーが操作パネル４を操作して、繰り下げ対象ページの縁部画像Ｇの画像データを選択しない指示を入力した場合（ステップＳ２８８のＮｏ）、処理部１１は、繰り下げ対象ページの前ページの縁部記憶領域ＥＡに格納されている縁部画像Ｇの画像データと同じ画像データを、ページモデルＰＤの縁部記憶領域ＥＡに格納する（ステップＳ２８９）。詳しくは、処理部１１は、ページモデルＰＤの縁部記憶領域ＥＡのうち、繰り下げ対象ページの前ページにおける縁部画像Ｇの位置と同じ位置に、縁部画像Ｇの画像データを格納する。
【０２２３】
処理部１１は、ページモデルＰＤに縁部画像Ｇの画像データを格納すると（ステップＳ２８６又はステップＳ２８９）、追加ページのページ番号を示す情報に基づいて、冊子モデルＢＤにページモデルＰＤを追加して（ステップＳ２８７）、ページ追加処理を終了する。
【０２２４】
また、処理部１１は、繰り下げ対象ページの縁部記憶領域ＥＡに縁部画像Ｇの画像データが格納されていないと判定した場合（ステップＳ２８４のＮｏ）、ステップＳ２８７の処理を実行して、ページ追加処理を終了する。
【０２２５】
なお、ページ追加処理によって追加することが可能なページの数は、１ページに限定されるものではなく、複数のページを追加することが可能である。
【０２２６】
また、ページを追加することにより、繰り下げ対象ページ以降の各ページ画像の位置が、シートＳの表面と裏面との間で入れ替わる場合、処理部１１は、繰り下げ対象ページ以降の各ページ画像の画像データを冊子モデルＢＤに格納し直す。
【０２２７】
また、処理部１１は、繰り下げ対象ページ以降の各ページ記憶領域ＰＡに、ページ番号を示す画像が含まれている場合、それらのページ番号を示す画像を、新しいページ番号を示す画像に差し替える。詳しくは、処理部１１は、冊子モデルＢＤにページモデルＰＤを追加すると、冊子モデルＢＤに含まれる各ページ記憶領域ＰＡに対して新たにページ番号の情報を付与する。処理部１１は、更新したページ番号の情報に基づいて、新しいページ番号を示す画像を生成する。
【０２２８】
続いて図２９を参照して、ページ追加処理後のデジタル立体冊子モデルＢＤについて説明する。図２９は、ページ追加処理後のデジタル立体冊子モデルＢＤを示す図である。図２９に示す冊子モデルＢＤは、小口見出し画像Ｇ１の画像データ（縁部画像Ｇの画像データ）を格納している。
【０２２９】
図２９に示すように、冊子モデルＢＤにページ画像の画像データを追加する場合、ページモデルＰＤが生成される。ページモデルＰＤは、追加ページ画像の画像データを格納する。なお、図２９は、２ページ分のページ画像が冊子に追加される場合を例示している。
【０２３０】
ページ追加処理が実行されると、冊子モデルＢＤにページモデルＰＤが追加される。冊子モデルＢＤが、小口見出し画像Ｇ１の画像データを格納している場合、ページモデルＰＤの縁部記憶領域ＥＡに縁部画像Ｇの画像データが格納される。ページモデルＰＤに格納される縁部画像Ｇの画像データは、繰り下げ対象ページ（追加ページの後ページ）又はその前ページ（追加ページの前ページ）の縁部記憶領域ＥＡに格納されている縁部画像Ｇの画像データと同じ画像データである。
【０２３１】
なお、図２９では、冊子小口画像として小口見出し画像Ｇ１を例示したが、冊子小口画像は、実施形態３において説明した小口文字画像Ｇ２であってもよい。
【０２３２】
以上、実施形態５について説明した。本実施形態によれば、既存の冊子に新たなページを追加することができる。また、本実施形態によれば、ページ追加処理後の冊子のプレビュー画像１０１を冊子の印刷前に事前に確認することができる。
【０２３３】
［実施形態６］
続いて図１、図２、及び図３０を参照して本発明の実施形態６について説明する。但し、実施形態１〜５と異なる事項を説明し、実施形態１〜５と同じ事項についての説明は割愛する。実施形態６は、冊子作成プロセスが実施形態１〜５と異なる。具体的には、実施形態６に係る冊子作成プロセスは、ページ追加処理を含む。より詳しくは、実施形態３を参照して説明した小口文字画像Ｇ２の画像データが冊子モデルＢＤに格納されている場合、警告画面がタッチパネル４ａに表示される。
【０２３４】
図３０は、本実施形態に係るページ追加処理を示すフローチャートである。本実施形態に係るページ追加処理は、図２８を参照して説明したページ追加処理と比べて、ステップＳ３０１の処理、及びステップＳ３０２の処理が追加されている。
【０２３５】
図３０に示すように、処理部１１は、繰り下げ対象ページの縁部記憶領域ＥＡに縁部画像Ｇの画像データが格納されていると判定した場合（ステップＳ２８４のＹｅｓ）、冊子小口画像が小口見出し画像Ｇ１であるか否かを判定する（ステップＳ３０１）。例えば処理部１１は、少なくとも１つの縁部記憶領域ＥＡに線状の画像の画像データが付加されているか否かによって、冊子小口画像が小口見出し画像Ｇ１であるか否かを判定する。具体的には、処理部１１は、少なくとも１つの縁部記憶領域ＥＡに線状の画像の画像データが付加されている場合、冊子小口画像が小口見出し画像Ｇ１でないと判定する。
【０２３６】
処理部１１は、冊子小口画像が小口見出し画像Ｇ１であると判定した場合（ステップＳ３０１のＹｅｓ）、ステップＳ２８５の処理を実行する。一方、処理部１１は、冊子小口画像が小口見出し画像Ｇ１でないと判定した場合（ステップＳ３０１のＮｏ）、警告画面をタッチパネル４ａに表示させて、ページ追加処理を終了する。警告画面は、冊子小口画像が文字画像を含むことを通知する。例えば、警告画面は、ページの追加により冊子小口の文字が伸びることを示すメッセージを表示する。
【０２３７】
以上、実施形態６について説明した。本実施形態によれば、冊子小口画像が文字画像を含むことをユーザーに通知することができる。冊子小口画像が文字画像を含む場合、ページを追加すると、追加するページ数に応じて、冊子小口に形成する文字画像が、冊子の厚み方向に伸びる可能性がある。この場合、ユーザーが所望する文字画像を冊子小口に形成できない可能性がある。したがって、冊子小口画像が文字画像を含むことをユーザーに通知することにより、ユーザーが望まない文字が冊子の小口に形成される事態を回避することができる。
【０２３８】
なお、本実施形態では、冊子小口画像が小口見出し画像Ｇ１であるか否かを判定したが、冊子小口画像が文字画像を含むか否かを判定してもよい。実施形態２において説明したように、小口見出し画像Ｇ１は文字画像を含み得る。したがって、冊子小口画像が文字画像を含むか否かを判定することにより、冊子小口画像が文字画像を含む小口見出し画像Ｇ１である場合に、冊子小口画像が文字画像を含むことをユーザーに通知することができる。よって、冊子小口画像が文字画像を含む小口見出し画像Ｇ１である場合において、ユーザーが望まない文字が冊子の小口に形成される事態を回避することができる。
【０２３９】
［実施形態７］
続いて図１、図２、及び図３１を参照して本発明の実施形態７について説明する。但し、実施形態１〜６と異なる事項を説明し、実施形態１〜６と同じ事項についての説明は割愛する。実施形態７は、冊子作成プロセスが実施形態１〜６と異なる。具体的には、実施形態７に係る冊子作成プロセスは、割り込み印刷が発生した場合に冊子のプレビュー画像１０１を表示する処理を含む。
【０２４０】
本実施形態において、ハードキー４ｂは、割り込みキーを含む。割り込みキーは、あるジョブの実行中に他のジョブを実行させるためのボタンである。具体的には、割り込みキーが押下されると、実行中のジョブが中断される。ユーザーは、先行して開始されたジョブが中断している間に、画像形成装置１に他のジョブを実行させることができる。画像形成装置１は、他のジョブの実行完了後、中断していたジョブを再開する。
【０２４１】
本実施形態において、処理部１１は、冊子印刷中に割り込みキーが押下されると、割り込みキーが押下される直前に形成されたページ画像のページ番号（以下、「割り込み直前ページ番号」と記載する。）を示す情報を記憶部１２に記憶させて、冊子の印刷を中断する。
【０２４２】
冊子の印刷が中断した後、割り込みジョブとして印刷ジョブ（以下、「割り込み印刷ジョブ」と記載する。）が発生すると、排出空間３に割り込みシートＩｎＳが排出される。割り込みシートＩｎＳには、割り込み印刷ジョブに基づく画像が形成されている。
【０２４３】
割り込み印刷ジョブが完了すると、処理部１１は、中断していた冊子の印刷処理を再開する。また、処理部１１は、割り込みシートＩｎＳを示すシートモデルＳＤ（以下、「割り込みシートモデルＩｎＳＤ」と記載する。）を、割り込みシートＩｎＳの枚数に応じた数だけ冊子モデルＢＤに追加する。詳しくは、割り込み直前ページ番号に対応するシートモデルＳＤに隣接するように、割り込みシートモデルＩｎＰＤを冊子モデルＢＤに追加する。なお、割り込みシートモデルＩｎＰＤを追加する位置は、冊子の裏表紙側から順にページ画像を形成するのか、冊子の表紙側から順にページ画像を形成するのかによって異なる。例えば、冊子の裏表紙側から順にページ画像を形成する場合、割り込みシートモデルＩｎＳＤは、割り込み直前ページ番号に対応するシートモデルＳＤよりも冊子の表紙に近い位置に配置される。
【０２４４】
処理部１１は、冊子の印刷が終了すると、割り込みシートモデルＩｎＰＤが追加された冊子モデルＢＤに基づいて、冊子のプレビュー画像１０１をタッチパネル４ａに表示させる。
【０２４５】
図３１は、本実施形態に係る冊子のプレビュー画像１０１を示す図である。図３１に示す冊子のプレビュー画像１０１は、冊子の印刷が終了した後にタッチパネル４ａに表示される。以下、冊子の印刷が終了した後にタッチパネル４ａに表示される冊子のプレビュー画像１０１を「印刷後プレビュー画像１０１ａ」と記載する場合がある。なお、図３１は、小口見出し画像Ｇ１が付加された冊子１０２の画像を例示している。
【０２４６】
図３１に示すように、印刷後プレビュー画像１０１ａが表示する冊子１０２の画像は、割り込みシートＩｎＳの画像を含む。好ましくは、ユーザーが割り込みシートＩｎＳの存在に気が付くように、割り込みシートＩｎＳは強調表示される。例えば、割り込みシートＩｎＳは、他のシートＳとは異なる色（例えば赤色）によって表示され得る。
【０２４７】
以上、実施形態７について説明した。本実施形態によれば、割り込み印刷ジョブが発生した場合に、排出空間３に排出されたシートＳの束に割り込みシートＩｎＳが含まれることをユーザーに通知することができる。換言すると、冊子を構成する予定のシートＳの束の中に、割り込みシートＩｎＳが含まれることをユーザーに通知することができる。更に、本実施形態によれば、排出空間３に排出されたシートＳの束における割り込みシートＩｎＳの位置をユーザーに通知することができる。
【０２４８】
［実施形態８］
続いて図１、図２、図３２（ａ）、及び図３２（ｂ）を参照して本発明の実施形態８について説明する。但し、実施形態１〜７と異なる事項を説明し、実施形態１〜７と同じ事項についての説明は割愛する。実施形態８は、小口編集処理時に設定された各種データが記憶部１２に保存される点で実施形態１〜７と異なる。以下、小口編集処理時に設定された各種データを「小口情報」と記載する場合がある。小口情報は、冊子小口画像に関する情報を示す。
【０２４９】
図３２（ａ）は、小口見出し画像Ｇ１の小口情報を示す図である。処理部１１は、小口見出し画像Ｇ１の画像データが生成された場合に記憶部１２に小口見出し画像Ｇ１の小口情報を保存する。なお、小口見出し画像Ｇ１の画像データは、実施形態２において説明した小口編集処理によって生成される。
【０２５０】
図３２（ａ）に示すように、処理部１１は、小口編集処理を実行した冊子に対して識別番号（ＩＤ）１３０１を付与する。また、処理部１１は、小口見出し画像Ｇ１の数を示す情報１３０２を、識別番号１３０１に関連付けて記憶部１２に保存する。具体的には、処理部１１は、小口見出し画像Ｇ１の数を示す情報１３０２として、図１４を参照して説明したグループ数設定欄３１１に設定された情報を取得する。
【０２５１】
更に、処理部１１は、各小口見出し画像Ｇ１の開始ページ番号を示す情報１３０３、各小口見出し画像Ｇ１の終了ページ番号を示す情報１３０４、各小口見出し画像Ｇ１の冊子の上端までの間隔ｈを示す情報１３０５、及び各小口見出し画像Ｇ１の色を示す情報１３０６を、識別番号１３０１に関連付けて記憶部１２に保存する。具体的には、処理部１１は、開始ページ番号を示す情報１３０３、及び終了ページ番号を示す情報１３０４を、図１５及び図１６を参照して説明したページ範囲設定欄３２３に設定された情報から取得する。また、処理部１１は、冊子の上端までの間隔ｈを示す情報１３０５を、図２１を参照して説明した位置情報設定欄３２４に設定された情報から取得し、色を示す情報１３０６を、図２１を参照して説明した色設定欄３２５に設定された情報から取得する。開始ページ番号を示す情報１３０３、及び終了ページ番号を示す情報１３０４は、小口見出し画像Ｇ１を形成する範囲を示し、冊子の上端までの間隔ｈを示す情報１３０５は、小口見出し画像Ｇ１（冊子小口画像）の位置を示す。
【０２５２】
図３２（ｂ）は、小口文字画像Ｇ２の小口情報を示す図である。処理部１１は、小口文字画像Ｇ２の画像データが生成された場合に記憶部１２に小口文字画像Ｇ２の小口情報を保存する。なお、小口文字画像Ｇ２の画像データは、実施形態３において説明した小口編集処理によって生成される。
【０２５３】
図３２（ｂ）に示すように、処理部１１は、小口文字画像Ｇ２の文字を示す情報１３０７を、識別番号１３０１に関連付けて記憶部１２に保存する。具体的には、処理部１１は、図２０を参照して説明した文字入力画面４００によって確定した文字を示す情報を記憶部１２に保存する。
【０２５４】
更に、処理部１１は、小口文字画像Ｇ２の冊子の上端までの間隔ｈを示す情報１３０８、及び小口文字画像Ｇ２の冊子の表面までの間隔ｗを示す情報１３０９を、識別番号１３０１に関連付けて記憶部１２に保存する。具体的には、処理部１１は、冊子の上端までの間隔ｈを示す情報１３０８、及び冊子の表面までの間隔ｗを示す情報１３０９を、図２４（ａ）を参照して説明した位置情報設定欄５１１に設定された情報から取得する。冊子の上端までの間隔ｈを示す情報１３０８、及び冊子の表面までの間隔ｗを示す情報１３０９は、小口文字画像Ｇ２（冊子小口画像）の位置を示す。
【０２５５】
なお、記憶部１２に保存される小口情報は、小口編集処理時に設定される項目に応じて変更される。例えば、図３２（ａ）に示す例では、小口見出し画像Ｇ１の小口情報は、冊子の上端までの間隔ｈを示す情報１３０５、及び色を示す情報１３０６を含むが、これらの情報１３０５及び１０６は省略され得る。また、小口見出し画像Ｇ１が文字画像を含む場合、小口見出し画像Ｇ１の小口情報は、文字画像に関する情報を更に含んでもよい。
【０２５６】
以上、実施形態８について説明した。本実施形態によれば、冊子の第２版以降の印刷時に、小口編集処理を実行することなく、冊子小口画像の画像データを生成することができる。あるいは、冊子の第２版以降の印刷時に表示される各種の画面において、記憶部１２に保存した各種データを予め表示させることができる。
【０２５７】
［実施形態９］
続いて図１、図２、図３３を参照して本発明の実施形態９について説明する。但し、実施形態１〜８と異なる事項を説明し、実施形態１〜８と同じ事項についての説明は割愛する。実施形態９は、冊子のプレビュー画像１０１が実施形態１〜８と異なる。
【０２５８】
図３３は、本実施形態に係る第１プレビュー画面１１０を示す図である。本実施形態に係る第１プレビュー画面１１０は、冊子のプレビュー画像１０１と、ラジオボタン１１１と、「ＯＫ」ボタン１１２と、第２プレビュー画面表示ボタン２０１とを表示する。
【０２５９】
図３３に示すように、本実施形態に係る処理部１１は、冊子のプレビュー画像１０１として、互いに部分的に重ねられつつ一定の方向にずらされた状態の複数枚のシート１０２ａを示す冊子のプレビュー画像１０１ｂを生成する。詳しくは、複数枚のシート１０２ａは、各シート１０２ａの小口側の縁部が表示されるようにずらされる。この結果、冊子のプレビュー画像１０１ｂは、各シートＳに形成される縁部画像Ｇを示す。なお、図３３は、小口見出し画像Ｇ１が付加された冊子１０２を例示している。
【０２６０】
ラジオボタン１１１は、冊子１０２の表示方向を変更するためのボタンである。具体的には、ラジオボタン１１１は、「表紙」ボタンと、「裏表紙」ボタンとを含む。「表紙」ボタンは、表紙側から見た冊子１０２を表示するためのボタンである。「裏表紙」ボタンは、裏表紙側から見た冊子１０２を表示するためのボタンである。図３３は、「表紙」ボタンが選択されている場合を例示している。
【０２６１】
「ＯＫ」ボタン１１２は、ラジオボタン１１１において選択されている処理を実行するためのボタンである。具体的には、「表紙」ボタンが選択されている状態において、ユーザーが操作パネル４を操作して「ＯＫ」ボタン１１２を押下する指示を入力すると、表紙側から見た冊子１０２が表示される。したがって、「表紙」ボタンを選択することにより、各シートＳの表面に形成される縁部画像Ｇが表示される。一方、「裏表紙」ボタンが選択されている状態において、ユーザーが操作パネル４を操作して「ＯＫ」ボタン１１２を押下する指示を入力すると、裏表紙側から見た冊子１０２が表示される。したがって、「裏表紙」ボタンを選択することにより、各シートＳの裏面に形成される縁部画像Ｇが表示される。
【０２６２】
以上、実施形態９について説明した。本実施形態によれば、各シートＳに形成される縁部画像Ｇを冊子の印刷前に事前に確認することができる。なお、本実施形態では、第１プレビュー画面１１０に表示される冊子のプレビュー画像１０１ｂを説明したが、冊子のプレビュー画像１０１ｂは、実施形態１〜８において説明した第２プレビュー画面１２０や編集画面３１０等の第１プレビュー画面１１０以外の画面において表示されてもよい。
【０２６３】
以上、本発明の実施形態について図面を参照しながら説明した。但し、本発明は、上記の実施形態に限られるものではなく、その要旨を逸脱しない範囲で種々の態様において実施することが可能である。
【０２６４】
例えば、本発明による実施形態において画像形成装置１は複合機であったが、画像形成装置１は、複合機に限定されない。画像形成装置１は、シートＳに画像を形成する機構を備えていればよく、例えば印刷機又はコピー機であり得る。
【０２６５】
また、画像形成装置１は、複数枚のシートＳをセット可能な手差しトレイを備えてもよい。この場合、ユーザーは、操作パネル４を操作して、シートＳの供給元を給紙カセットと手差しトレイとの間で選択できる。具体的には、タッチパネル４ａは、冊子の作成が選択されると、シートＳの供給元を給紙カセットと手差しトレイとの間で選択させる画面を表示する。ユーザーが操作パネル４を操作して手差しトレイを選択すると、タッチパネル４ａは、シートサイズを入力する画面を表示する。典型的には、タッチパネル４ａは、各種の定型サイズのうちから１つのサイズを選択させる画面を表示する。また、画像形成装置１が手差しトレイを備える場合、画像形成装置１は、給紙カセットから給紙されたシートＳの厚みを検知する厚み検知センサー（厚み検知センサー９）に加えて、手差しトレイから給紙されたシートＳの厚みを検知する厚み検知センサーを更に備える。あるいは、給紙カセットから給紙されたシートＳが搬送される搬送経路と、手差しトレイから給紙されたシートＳが搬送される搬送経路とが合流する位置よりも下流側に、１つの厚み検知センサーを配置してもよい。
【０２６６】
また、本発明による実施形態では、厚み検知センサー９を用いてシートＳの厚みを検知したが、厚み検知センサー９は省略され得る。厚み検知センサー９を省略する場合、ユーザーが操作パネル４を操作して、シートＳの厚み情報を入力してもよい。
【０２６７】
また、本発明による実施形態では、操作パネル４がハードキー４ｂ及びタッチセンサー４２を備える形態について説明したが、ハードキー４ｂ及びタッチセンサー４２のうちの一方は省略され得る。
【０２６８】
また、本発明による実施形態において、シートＳの主走査方向及び副走査方向のサイズは、各種の定型サイズのうちから選択されたが、本発明はこの形態に限定されない。ユーザーが操作パネル４を操作して、シートＳの主走査方向及び副走査方向のサイズを示す数値を入力してもよい。
【０２６９】
また、本発明による実施形態では、小口見出し画像Ｇ１の色を設定する形態について説明したが、小口編集処理は、冊子の小口の色（各シートの小口側の側面の色）を設定する処理を含み得る。
【０２７０】
また、本発明による実施形態では、小口見出し画像Ｇ１に付加する文字を設定する形態、及び小口文字画像Ｇ２の文字を設定する形態について説明したが、小口編集処理において、文字の書式、フォント、スタイル、色、及びサイズのうちの少なくとも１つが設定されてもよい。また、小口編集処理において、文字の向きが設定されてもよい。文字の向きは、文字の上端が向く方向を示す。典型的には、文字の上端が向く方向は、冊子の表紙側を向く方向、冊子の裏表紙側を向く方向、冊子の天側を向く方向、及び冊子の地側を向く方向のうちから選択される。
【０２７１】
また、本発明による実施形態では、冊子小口画像が文字画像を含む場合にページ追加処理を終了する形態について説明したが、本発明はこの形態に限定されない。画像形成装置１は、冊子小口画像が文字画像を含む場合に、ページ追加処理を終了するか否かをユーザーに問い合わせもよい。例えば、処理部１１は、警告画面をタッチパネル４ａに表示させる際に、ページ追加処理を終了するか否かをユーザーに選択させる選択ボタンを表示させてもよい。あるいは、処理部１１は、冊子のプレビュー画像１０１をタッチパネル４ａに表示させる際に、冊子小口画像を付加するか否かをユーザーに選択させる選択ボタンを表示させてもよい。
【０２７２】
また、本発明による実施形態では画像形成装置１について説明したが、本発明は、パーソナルコンピューターのような情報処理装置にも適用され得る。典型的には、本発明は、画像形成装置に対して印刷を要求できる情報処理装置に適用され得る。
【０２７３】
図３４は、本発明の他の実施形態に係る情報処理装置３４０を示す図である。情報処理装置３４０は、表示部３４１、入力部３４２（操作部の一例）、通信部３４３、記憶部３４４、及び処理部３４５を備える。
【０２７４】
表示部３４１は、２次元状の表示面を有する。表示部３４１は、各種の設定画面を表示面に表示する。また、表示部３４１は、冊子のプレビュー画像１０１を表示面に表示する。表示部３４１は、例えば液晶ディスプレー又は有機ＥＬディスプレーのようなディスプレーを含む。
【０２７５】
入力部３４２は、情報処理装置３４０に対する各種の指示を入力する。典型的には、入力部３４２は、キーボード及びマウスのような入力装置を含む。なお、入力部３４２は、タッチセンサーを含み得る。タッチセンサーは、表示部３４１の表示面に重畳するように配置される。タッチセンサーは、表示部３４１の表示面に対するユーザーのジェスチャー（典型的には、指ジェスチャー）に対応する信号を生成する。ユーザーは、ジェスチャーにより、情報処理装置３４０に対する各種の指示を入力することができる。
【０２７６】
通信部３４３は、画像形成装置とデータ通信可能に接続する。通信部３４３は、例えばＬＡＮボードなどのネットワークインターフェイスである。通信部３４３は、画像形成装置に対して印刷を要求する信号を送信する。印刷を要求する信号は、冊子画像データ、ページ数情報、及びシート種別を指定する情報を含む。シート種別を指定する情報は、典型的には、各種の定型サイズのうちの１つを指定する情報である。なお、通信部３４３は、画像形成装置との間で無線通信を実行する構成であってもよい。無線通信方式は、例えばＢｌｕｅｔｏｏｔｈ（登録商標）のような近距離無線通信方式であり得る。
【０２７７】
記憶部３４４は、制御プログラム（コンピュータープログラム）を記憶する。また、記憶部３４４は、実施形態１〜６、８、及び９において説明した各種の画面に関するデータを記憶する。画面に関するデータは、例えば、レイアウト画像データを含む。また、記憶部３４４は、ユーザーが入力部３４２を操作して入力した各種の設定値を記憶する。記憶部３４４は、例えば、ＨＤＤ、ＲＡＭ、及びＲＯＭによって構成される。
【０２７８】
処理部３４５は、記憶部３４４に記憶された制御プログラムを実行することによって、情報処理装置３４０の各部の動作を制御する。処理部３４５は、例えばＣＰＵ又はＭＰＵのような演算回路を有する。具体的には、処理部３４５は、実施形態１〜６、８、及び９において説明した各種の画面を表示部３４１に表示させる。この結果、表示部３４１は、実施形態１〜６、８、及び９において説明した冊子のプレビュー画像１０１（冊子のプレビュー画像１０１ｂを含む。）を表示する。
【０２７９】
例えば、処理部３４５は、ページ数情報、及びサイズ情報に基づいて、冊子モデルＢＤを３次元配列で記憶部３４４に格納する。サイズ情報は、ユーザーが入力部３４２を操作して入力する。処理部３４５は、冊子モデルＢＤを記憶部３４４に格納すると、冊子モデルＢＤに冊子画像データを付加する。処理部３４５は、冊子モデルＢＤに冊子画像データを付加すると、冊子モデルＢＤに基づいて、冊子のプレビュー画像１０１を表示部３４１に表示させる。
【０２８０】
なお、シートＳの厚み情報は、通信部３４３を介して画像形成装置から取得してもよい。例えば、通信部３４３は、シート種別を指定する情報と共に、シートＳの厚み情報を要求する信号を画像形成装置に送信する。画像形成装置は、情報処理装置３４０からの要求を受信すると、厚み検知センサー９を用いてシートＳの厚みを検知し、シートＳの厚み情報を情報処理装置３４０へ送信する。この結果、情報処理装置３４０は、シートＳの厚み情報を取得する。
【産業上の利用可能性】
【０２８１】
本発明は、画像形成装置に有用である。
【符号の説明】
【０２８２】
１        画像形成装置
４        操作パネル
７        画像形成部
１１      処理部
１２      記憶部
４１      表示部
１０１    冊子のプレビュー画像
１０２    冊子
３４０    情報処理装置
３４１    表示部
３４４    記憶部
３４５    処理部
ＢＤ      デジタル立体冊子モデル
ＰＡ      ページ記憶領域
Ｓ        シート
ＳＤ      デジタル立体シートモデル
【図１】
2018196087.tif 000003
【図２】
2018196087.tif 000004
【図３】
2018196087.tif 000005
【図４】
2018196087.tif 000006
【図５】
2018196087.tif 000007
【図６】
2018196087.tif 000008
【図７】
2018196087.tif 000009
【図８】
2018196087.tif 000010
【図９】
2018196087.tif 000011
【図１０】
2018196087.tif 000012
【図１１】
2018196087.tif 000013
【図１２】
2018196087.tif 000014
【図１３】
2018196087.tif 000015
【図１４】
2018196087.tif 000016
【図１５】
2018196087.tif 000017
【図１６】
2018196087.tif 000018
【図１７】
2018196087.tif 000019
【図１８】
2018196087.tif 000020
【図１９】
2018196087.tif 000021
【図２０】
2018196087.tif 000022
【図２１】
2018196087.tif 000023
【図２２】
2018196087.tif 000024
【図２３】
2018196087.tif 000025
【図２４】
2018196087.tif 000026
【図２５】
2018196087.tif 000027
【図２６】
2018196087.tif 000028
【図２７】
2018196087.tif 000029
【図２８】
2018196087.tif 000030
【図２９】
2018196087.tif 000031
【図３０】
2018196087.tif 000032
【図３１】
2018196087.tif 000033
【図３２】
2018196087.tif 000034
【図３３】
2018196087.tif 000035
【図３４】
2018196087.tif 000036